(57)【要約】本開示のある特定の態様は、ニューラジオ（ＮＲ）技術に従って動作する通信システムを使用してビーム切り替えレイテンシを提供するための方法及び装置に関する。例えば、方法は一般に、ターゲットアンテナアレイモジュールが低電力モードにあるときに、ソースアンテナアレイモジュールからターゲットモジュールへのビーム切り替えに関連付けられたレイテンシを決定することと、ビーム切り替えのためのコマンドを送った後に、決定されたレイテンシを使用するように基地局にシグナリングすることとを含む。【選択図】図９
2021514154.tif 000002
【特許請求の範囲】
【請求項１】
第１のデバイスによるワイヤレス通信のための方法であって、
前記第１のデバイスにおけるビーム切り替えに関連付けられた少なくとも１つのレイテンシを決定することと、
第２のデバイスが前記第１のデバイスにビーム切り替えコマンドを送った後に、前記第１のデバイスが測定信号のセットを処理することがいつ可能になるかを決定するために、前記少なくとも１つのレイテンシを使用するように前記第２のデバイスにシグナリングすることと
を備える、方法。
【請求項２】
前記測定信号のセットは、チャネル状態情報基準信号（ＣＳＩ−ＲＳ）を備える、請求項１に記載の方法。
【請求項３】
前記第１のデバイスは、ユーザ機器（ＵＥ）を含む、請求項１に記載の方法。
【請求項４】
前記第２のデバイスは、基地局（ＢＳ）を含む、請求項１に記載の方法。
【請求項５】
前記ビーム切り替えは、前記第２のデバイスから信号をダウンリンク受信することにおける受信ビーム切り替えを含む、請求項１に記載の方法。
【請求項６】
前記ビーム切り替えは、前記第２のデバイスに信号をアップリンク送信することにおける送信ビーム切り替えを含む、請求項１に記載の方法。
【請求項７】
前記第１のデバイスは、ビーム切り替えのタイプ毎のビーム切り替えレイテンシをシグナリングする、請求項１に記載の方法。
【請求項８】
複数のタイプのビーム切り替えの各々は、対応するビーム切り替えレイテンシを有し、
前記第１のデバイスは、タイプ毎のビーム切り替えレイテンシを使用するように前記第２のデバイスにシグナリングする、
請求項７に記載の方法。
【請求項９】
複数のタイプのビーム切り替えの各々は、対応するデフォルトビーム切り替えレイテンシを有し、それは、前記第１のデバイスがシグナリングしたタイプ毎のビーム切り替えレイテンシによって上書きされることができる、
請求項７に記載の方法。
【請求項１０】
レイテンシのタイプは、
ダウンリンクにおけるダウリンク制御情報（ＤＣＩ）トリガされたビーム切り替え
を備える、請求項７に記載の方法。
【請求項１１】
ダウンリンクにおける前記ＤＣＩトリガされたビーム切り替えは、前記第２のデバイスにおける切り替えられた送信ビームのシーケンス（sequence）を含み、各切り替えられたビームは、非周期的チャネル状態情報基準信号のリソースセット（aperiodic channel state information reference signal resource set）の各リソースを、前記リソースセット内のリソースにわたって有効にされた前記送信ビームの反復で送信するために使用される、請求項１０に記載の方法。
【請求項１２】
ダウンリンクにおける前記ＤＣＩトリガされたビーム切り替えは、前記第１のデバイスにおける切り替えられた受信ビームのシーケンスを含み、各切り替えられたビームは、非周期的チャネル状態情報基準信号のリソースセットの各リソースを、前記リソースセット内のリソースにわたって有効にされた送信ビームの反復で受信するために使用される、請求項１０に記載の方法。
【請求項１３】
ダウンリンクにおける前記ＤＣＩトリガされたビーム切り替えは、前記第２のデバイスにおける切り替えられた送信ビームのシーケンスを含み、各切り替えられたビームは、非周期的チャネル状態情報基準信号のリソースセットの各リソースを、前記リソースセット内のリソースにわたって無効にされた前記送信ビームの反復で送信するために使用される、請求項１０に記載の方法。
【請求項１４】
ダウンリンクにおける前記ＤＣＩトリガされたビーム切り替えは、前記第１のデバイスにおける切り替えられた受信ビームのシーケンスを含み、各切り替えられたビームは、非周期的チャネル状態情報基準信号のリソースセットの各リソースを、前記リソースセット内のリソースにわたって無効にされた送信ビームの反復で受信するために使用される、請求項１０に記載の方法。
【請求項１５】
前記第１のデバイスは、サブキャリア間隔に少なくとも部分的に依存するビーム切り替えレイテンシをシグナリングする、請求項１に記載の方法。
【請求項１６】
前記レイテンシは、ターゲットアンテナアレイモジュールが低電力モードにあるときに、ソースアンテナアレイモジュールから前記ターゲットモジュールへのビーム切り替えに関連付けられる、請求項１に記載の方法。
【請求項１７】
前記少なくとも１つのレイテンシは、
ソースアンテナアレイモジュールに関連付けられたビームからターゲットアンテナアレイモジュールに関連付けられたビームへのビーム切り替えに関連付けられた第１のレイテンシと、
前記ソースアンテナアレイモジュールに関連付けられたビームから前記ソースアンテナアレイモジュールに関連付けられた別のビームへのビーム切り替えに関連付けられた、前記第１のレイテンシより小さい第２のレイテンシと
を備える、請求項１６に記載の方法。
【請求項１８】
前記ターゲットアンテナアレイモジュールの現在の電力モードに基づいて、前記レイテンシについての更新された値を決定することと、
前記レイテンシについての前記更新された値のインジケーションを前記第２のデバイスにシグナリングすることと
を更に備える、請求項１６に記載の方法。
【請求項１９】
前記第１のデバイスは、媒体アクセス制御（ＭＡＣ）制御要素（ＣＥ）を介してシグナリングされたビーム切り替えコマンドを受信し、
前記第１のデバイスは、前記第１のデバイスが前記測定信号のセットを処理することがいつ可能になるかを決定するために、前記第２のデバイスが示されたレイテンシを使用するべきか否かを、肯定応答（ＡＣＫ）を介して示す、
請求項１に記載の方法。
【請求項２０】
第１のデバイスによるワイヤレス通信のための方法であって、
第２のデバイスにおけるビーム切り替えに関連付けられたレイテンシを示すシグナリングを前記第２のデバイスから受信することと、
前記第１のデバイスが前記第２のデバイスにビーム切り替えコマンドを送った後に、前記第２のデバイスが測定信号のセットを処理することがいつ可能になるかを決定するために、前記レイテンシを使用することと
を備える、方法。
【請求項２１】
前記測定信号のセットは、チャネル状態情報基準信号（ＣＳＩ−ＲＳ）を備える、請求項２０に記載の方法。
【請求項２２】
前記第１のデバイスは、基地局（ＢＳ）を含む、請求項２０に記載の方法。
【請求項２３】
前記第２のデバイスは、ユーザ機器（ＵＥ）を含む、請求項２０に記載の方法。
【請求項２４】
前記ビーム切り替えは、ダウンリンクにおける受信ビーム切り替えを含む、請求項２０に記載の方法。
【請求項２５】
前記ビーム切り替えは、アップリンクにおける送信ビーム切り替えを含む、請求項２０に記載の方法。
【請求項２６】
前記第２のデバイスは、ビーム切り替えのタイプ毎のビーム切り替えレイテンシをシグナリングする、請求項２０に記載の方法。
【請求項２７】
複数のタイプのビーム切り替えの各々は、対応するビーム切り替えレイテンシを有し、
前記第２のデバイスは、タイプ毎のビーム切り替えレイテンシをフィードバックする、
請求項２６に記載の方法。
【請求項２８】
複数のタイプのビーム切り替えの各々は、対応するデフォルトビーム切り替えレイテンシを有し、それは、前記第２のデバイスがシグナリングしたタイプ毎のビーム切り替えレイテンシによって上書きされることができる、
請求項２６に記載の方法。
【請求項２９】
レイテンシのタイプは、
ダウンリンクにおけるダウリンク制御情報（ＤＣＩ）トリガされたビーム切り替え
を備える、請求項２６に記載の方法。
【請求項３０】
ダウンリンクにおける前記ＤＣＩトリガされたビーム切り替えは、前記第１のデバイスにおける切り替えられた送信ビームのシーケンスを含み、各切り替えられたビームは、非周期的チャネル状態情報基準信号のリソースセットの各リソースを、前記リソースセット内のリソースにわたって有効にされた前記送信ビームの反復で送信するために使用される、請求項２９に記載の方法。
【請求項３１】
ダウンリンクにおける前記ＤＣＩトリガされたビーム切り替えは、前記第２のデバイスにおける切り替えられた受信ビームのシーケンスを含み、各切り替えられたビームは、非周期的チャネル状態情報基準信号のリソースセットの各リソースを、前記リソースセット内のリソースにわたって有効にされた送信ビームの反復で受信するために使用される、請求項２９に記載の方法。
【請求項３２】
ダウンリンクにおける前記ＤＣＩトリガされたビーム切り替えは、前記第１のデバイスにおける切り替えられた送信ビームのシーケンスを含み、各切り替えられたビームは、非周期的チャネル状態情報基準信号のリソースセットの各リソースを、前記リソースセット内のリソースにわたって無効にされた前記送信ビームの反復で送信するために使用される、請求項２９に記載の方法。
【請求項３３】
ダウンリンクにおける前記ＤＣＩトリガされたビーム切り替えは、前記第２のデバイスにおける切り替えられた受信ビームのシーケンスを含み、各切り替えられたビームは、非周期的チャネル状態情報基準信号のリソースセットの各リソースを、前記リソースセット内のリソースにわたって無効にされた送信ビームの反復で受信するために使用される、請求項２９に記載の方法。
【請求項３４】
前記第２のデバイスは、サブキャリア間隔に少なくとも部分的に依存するビーム切り替えレイテンシをシグナリングする、請求項２０に記載の方法。
【請求項３５】
前記レイテンシは、ターゲットアンテナアレイモジュールが低電力モードにあるときに、ソースアンテナアレイモジュールから前記ターゲットモジュールへのビーム切り替えに関連付けられる、請求項２０に記載の方法。
【請求項３６】
前記少なくとも１つのレイテンシは、少なくとも第１のレイテンシと、前記第１のレイテンシより短い第２のレイテンシとを備え、
前記第１のデバイスは、前記ビーム切り替えコマンドがソースアンテナアレイモジュールに関連付けられたビームからターゲットモジュールに関連付けられたビームに切り替えるためのものである場合に、前記第２のデバイスが前記測定信号のセットを処理することがいつ可能になるかを決定するために、前記第１のレイテンシを選択するように構成され、
前記第１のデバイスは、前記ビーム切り替えコマンドが前記ソースアンテナアレイモジュールに関連付けられたビームから前記ソースアンテナアレイモジュールに関連付けられた別のビームに切り替えるためのものである場合に、前記第２のデバイスが前記測定信号のセットを処理することがいつ可能になるかを決定するために、前記第２のレイテンシを選択するように構成される、
請求項３５に記載の方法。
【請求項３７】
前記第２のデバイスの前記ターゲットアンテナアレイモジュールの現在の電力モードに基づいて、更新されたレイテンシを示すシグナリングを前記第２のデバイスから受信することを更に備える、請求項３５に記載の方法。
【請求項３８】
ビーム切り替えコマンドは、媒体アクセス制御（ＭＡＣ）制御要素（ＣＥ）を介してシグナリングされ、
前記第２のデバイスは、前記第２のデバイスが肯定応答（ＡＣＫ）を介して前記示されたレイテンシを使用するべきか否かを示す、
請求項２０に記載の方法。
【請求項３９】
第１のデバイスによるワイヤレス通信のための装置であって、
前記第１のデバイスにおけるビーム切り替えに関連付けられた少なくとも１つのレイテンシを決定するための手段と、
第２のデバイスが前記第１のデバイスにビーム切り替えコマンドを送った後に、前記第１のデバイスが測定信号のセットを処理することがいつ可能になるかを決定するために、前記少なくとも１つのレイテンシを使用するように前記第２のデバイスにシグナリングするための手段と
を備える、装置。
【請求項４０】
第１のデバイスによるワイヤレス通信のための装置であって、
第２のデバイスにおけるビーム切り替えに関連付けられたレイテンシを示すシグナリングを前記第２のデバイスから受信するための手段と、
前記第１のデバイスが前記第２のデバイスにビーム切り替えコマンドを送った後に、前記第２のデバイスが測定信号のセットを処理することがいつ可能になるかを決定するために、前記レイテンシを使用するための手段と
を備える、装置。
【発明の詳細な説明】
【米国特許法第１１９条に基づく優先権の主張】
【０００１】
[0001]  本願は、２０１９年２月１３日に出願された米国特許出願第１６／２７４，３５９号の優先権を主張し、それは、２０１８年２月１６日に出願された米国仮特許出願第６２／７１０，４５６号及び２０１８年２月２０日に出願された米国仮特許出願第６２／６３３，０６８号の利益及び優先権を主張し、それらは、その全体が参照によって本明細書に組み込まれる。
【技術分野】
【０００２】
[0002]  本開示は、一般に通信システム（ommunications system）に関し、より詳細には、ニューラジオ（ＮＲ：new radio）技術に従って動作する通信システムを使用してビーム切り替えレイテンシ（beam switch latency）を提供するための方法及び装置に関する。
【背景技術】
【０００３】
[0003]  ワイヤレス通信システムは、電話通信、ビデオ、データ、メッセージング、及びブロードキャストなどの様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能である多元接続技術を用い得る。そのような多元接続技術の例は、ロングタームエボリューション（ＬＴＥ（登録商標））システム、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、及び時分割同期符号分割多元接続（ＴＤ−ＳＣＤＭＡ）システムを含む。
【０００４】
[0004]  いくつかの例では、ワイヤレス多元接続通信システムは、いくつかの基地局（base station）を含み得、各々が、別名ユーザ機器（ＵＥ：user equipment）として知られている複数の通信デバイス（communication device）のための通信を同時にサポートする。ＬＴＥ又はＬＴＥ−Ａネットワークでは、１つ又は複数の基地局のセットは、ｅノードＢ（ｅＮＢ）を定義し得る。他の例では（例えば、次世代又は５Ｇネットワークでは）、ワイヤレス多元接続通信システムは、いくつかの集中型ユニット（ＣＵ）（例えば、集中型ノード（ＣＮ）、アクセスノードコントローラ（ＡＮＣ）、等）と通信状態にあるいくつかの分散型ユニット（ＤＵ：distributed unit）（例えば、エッジユニット（ＥＵ）、エッジノード（ＥＮ）、無線ヘッド（ＲＨ）、スマート無線ヘッド（ＳＲＨ）、送受信ポイント（ＴＲＰ：transmission reception point）、等）を含み得、ここで、集中型ユニットと通信状態にある１つ又は複数の分散型ユニットのセットは、アクセスノード（例えば、ニューラジオ基地局（ＮＲ ＢＳ）、ニューラジオノードＢ（ＮＲ ＮＢ）、ネットワークノード、５Ｇ ＮＢ、ｅＮＢ、次世代ノードＢ（ｇＮＢ）、等）を定義し得る。基地局又はＤＵは、（例えば、基地局から又はＵＥへの送信のための）ダウンリンクチャネル上で、及び（例えば、ＵＥから基地局又は分散型ユニットへの送信のための）アップリンクチャネル上で、ＵＥのセットと通信し得る。
【０００５】
[0005]  これらの多元接続技術は、異なるワイヤレスデバイスが、都市、国家、地域、更には地球規模で通信することを可能にする共通プロトコルを提供するために、様々な電気通信規格において採用されてきた。新興の電気通信規格の例は、ニューラジオ（ＮＲ）、例えば、５Ｇ無線アクセスである。ＮＲは、第３世代パートナーシッププロジェクト（３ＧＰＰ（登録商標））によって公表されたＬＴＥモバイル規格に対する拡張セットである。それは、スペクトル効率を改善することと、コストを下げることと、サービスを改善することと、新しいスペクトルを利用することと、ダウンリンク（ＤＬ：downlink）上及びアップリンク（ＵＬ：uplink）上でサイクリックプレフィックス（ＣＰ：cyclic prefix）を伴うＯＦＤＭＡを使用して他のオープン規格とより良く統合することとによって、モバイルブロードバンドインターネットアクセスをより良くサポートし、並びにビームフォーミングと、多入力多出力（ＭＩＭＯ）アンテナ技術と、キャリアアグリゲーションと、をより良くサポートするように設計されている。
【０００６】
[0006]  しかしながら、モバイルブロードバンドアクセスに対する需要が増大し続けるにつれて、ＮＲ技術における更なる改善の要望が存在する。好ましくは、これらの改善は、他の多元接続技術及びこれらの技術を用いる電気通信規格に適用可能であるべきである。
【発明の概要】
【０００７】
[0007]  本開示のシステム、方法、及びデバイスは各々、いくつかの態様を有し、それらのうちのどれ１つとして、その望ましい属性を単独で担うものではない。後続する特許請求の範囲によって表されるようなこの開示の範囲を限定することなしに、ここでいくつかの特徴が簡潔に論述されることになる。この論述を考慮した後に、及び特に「詳細な説明」と題されたセクションを読んだ後に、この開示の特徴がワイヤレスネットワーク中のアクセスポイントと局との間での改善された通信を含む利点をどのように提供するかが理解されるであろう。
【０００８】
[0008]  ある特定の態様は、ユーザ機器（ＵＥ）によるワイヤレス通信のための方法を提供する。方法は一般に、ターゲットアンテナアレイモジュール（target antenna array module）が低電力モード（low power mode）にあるときに、ソースアンテナアレイモジュール（source antenna array module）からターゲットモジュール（target module）へのビーム切り替え（beam switch）に関連付けられたレイテンシ（latency）を決定することと、ビーム切り替えのためのコマンド（command）を送った後に、決定されたレイテンシ（determined latency）を使用するように基地局にシグナリング（signaling）することとを含む。
【０００９】
[0009]  ある特定の態様は、ネットワークエンティティによるワイヤレス通信のための方法を提供する。方法は一般に、ソースアンテナアレイモジュールからターゲットアンテナへのユーザ機器におけるビーム切り替えに関連付けられたビーム切り替えレイテンシのインジケーション（indication）をＵＥから受信することと、ＵＥにビーム切り替えコマンドを送ることと、ビーム切り替えコマンドを送った後に、示されたビーム切り替えレイテンシを適用することとを含む。
【００１０】
[0010]  態様は一般に、添付の図面を参照して及びそれらによって例示されるように本明細書で実質的に説明されるような、方法、装置、システム、コンピュータ可読媒体、及び処理システムを含む。数多くの他の態様が提供される。
【００１１】
[0011]  前述の目的及び関連する目的の達成のために、１つ又は複数の態様は、以下において十分に説明され、且つ特許請求の範囲で特に指摘される特徴を備える。以下の説明及び付属の図面は、１つ又は複数の態様のある特定の例示的な特徴を詳細に記載する。これらの特徴は、しかしながら、様々な態様の原理が用いられ得る様々な方法のうちのほんの一部を示しているに過ぎず、この説明は、全てのそのような態様及びそれらの同等物を含むことを意図される。
【００１２】
[0012]  本開示の上記された特徴が詳細に理解されることができるように、上記に簡潔に要約されたより具体的な説明が、態様への参照によってなされ得、それらのうちのいくつかは、添付された図面に例示される。しかしながら、添付された図面は、この開示のある特定の典型的な態様のみを例示しており、従って、その説明が他の同等に効果的な態様を認め得ることから、その範囲を限定していると見なされるべきではないことに留意されたい。
【図面の簡単な説明】
【００１３】
【図１】[0013]  本開示の態様が実行され得る実例的な電気通信システムを概念的に例示するブロック図である。
【図２】[0014]  本開示のある特定の態様による、分散型ＲＡＮの実例的な論理アーキテクチャを例示するブロック図である。
【図３】[0015]  本開示のある特定の態様による、分散型ＲＡＮの実例的な物理アーキテクチャを例示する図である。
【図４】[0016]  本開示のある特定の態様による、実例的なＢＳ及びユーザ機器（ＵＥ）の設計を概念的に例示するブロック図である。
【図５】[0017]  本開示のある特定の態様による、通信プロトコルスタックをインプリメントするための例を示す図である。
【図６】[0018]  本開示のある特定の態様による、ニューラジオ（ＮＲ）システムのためのフレームフォーマットの例を例示する。
【図７】本開示の態様による、ＵＥ上のアンテナアレイモジュール配置の例を例示する。
【図８】[0019]  本開示の態様による、経時的なアンテナアレイモジュールのためのモード調整の例を例示する。
【図９】[0020]  本開示の態様による、ユーザ機器（ＵＥ）によるワイヤレス通信のための実例的な動作を例示する。
【図１０】[0021]  本開示の態様による、ネットワークエンティティによるワイヤレス通信のための実例的な動作を例示する。
【００１４】
[0022]  理解を容易にするために、同一の参照番号が、可能な場合、図面に共通である同一の要素を指定するために使用されている。一態様に説明される要素は、具体的な記載なしに他の態様に対して有益に利用され得ることが企図される。
【詳細な説明】
【００１５】
[0023]  本開示の態様は、ＮＲ（ニューラジオアクセス技術又は５Ｇ技術）のための装置、方法、処理システム、及びコンピュータ可読媒体を提供する。
【００１６】
[0024]  ＮＲは、広帯域幅（例えば、８０ＭＨｚ超過）を対象とする拡張モバイルブロードバンド（ｅＭＢＢ：Enhanced mobile broadband）、高キャリア周波数（例えば、２７ＧＨｚ以上）を対象とするミリメートル波（ｍｍＷ）、非後方互換性のＭＴＣ技法を対象とするマッシブＭＴＣ（ｍＭＴＣ：massive MTC）、及び／又は超信頼性低レイテンシ通信（ＵＲＬＬＣ：ultra-reliable low latency communications）を対象とするミッションクリティカルなどの様々なワイヤレス通信サービスをサポートし得る。これらのサービスは、レイテンシ及び信頼性要件を含み得る。これらのサービスはまた、それぞれのサービス品質（ＱｏＳ：quality of service）要件を満たすために、異なる送信時間間隔（ＴＴＩ：transmission time interval）を有し得る。加えて、これらのサービスは、同じサブフレーム中に共存し得る。
【００１７】
[0025]  以下の説明は、例を提供しており、特許請求の範囲に記載されている範囲、適用可能性、又は例を限定するものではない。本開示の範囲から逸脱することなしに、論述される要素の機能及び配置において変更がなされ得る。様々な例は、適宜、様々なプロシージャ又はコンポーネントを省略、代用、又は追加し得る。例えば、説明される方法は、説明されるものとは異なる順序で実行され得、様々なステップが追加、省略、又は組み合わされ得る。また、いくつかの例に関して説明される特徴は、いくつかの他の例では組み合わされ得る。例えば、本明細書で記載される任意の数の態様を使用して、装置がインプリメントされ得るか、又は方法が実施され得る。加えて、本開示の範囲は、本明細書で記載される開示の様々な態様に加えて、又はそれ以外の、他の構造、機能、又は構造及び機能を使用して実施されるそのような装置又は方法をカバーすることを意図される。本明細書で開示される開示の任意の態様が特許請求の範囲の１つ又は複数の要素によって具現化され得ることは理解されるべきである。「例証的（exemplary）」という用語は、本明細書では「例、事例、又は例示としての役割を果たすこと」を意味するように使用される。「例証的」であるとして本明細書で説明されるいずれの態様も、他の態様より好ましい又は有利であるとして必ずしも解釈されるべきではない。
【００１８】
[0026]  本明細書で説明される技法は、ＬＴＥ、ＣＤＭＡ、ＴＤＭＡ、ＦＤＭＡ、ＯＦＤＭＡ、ＳＣ−ＦＤＭＡ及び他のネットワークなどの様々なワイヤレス通信ネットワークのために使用され得る。「ネットワーク」及び「システム」という用語は、交換可能に使用されることが多い。ＣＤＭＡネットワークは、ユニバーサル地上無線アクセス（ＵＴＲＡ）、ｃｄｍａ２０００、等などの無線技術をインプリメントし得る。ＵＴＲＡは、ワイドバンドＣＤＭＡ（ＷＣＤＭＡ（登録商標））及びＣＤＭＡの他の変形を含む。ｃｄｍａ２０００は、ＩＳ−２０００、ＩＳ−９５及びＩＳ−８５６規格をカバーする。ＴＤＭＡネットワークは、モバイル通信のためのグローバルシステム（ＧＳＭ（登録商標））などの無線技術をインプリメントし得る。ＯＦＤＭＡネットワークは、ＮＲ（例えば、５Ｇ ＮＲ）、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭＡ、等などの無線技術をインプリメントし得る。ＵＴＲＡ及びＥ−ＵＴＲＡは、ユニバーサルモバイル電気通信システム（ＵＭＴＳ）の一部である。ＮＲは、５Ｇ技術フォーラム（５ＧＴＦ：5G Technology Forum）と共に開発中の新興のワイヤレス通信技術である。３ＧＰＰロングタームエボリューション（ＬＴＥ）及びＬＴＥ−Ａｄｖａｎｃｅｄ（ＬＴＥ−Ａ）は、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ及びＧＳＭは、「第３世代パートナーシッププロジェクト」（３ＧＰＰ）という名称の組織からの文書中に説明されている。ｃｄｍａ２０００及びＵＭＢは、「第３世代パートナーシッププロジェクト２」（３ＧＰＰ２）という名称の組織からの文書中に説明されている。「ＬＴＥ」は一般に、ＬＴＥ、ＬＴＥ−Ａｄｖａｎｃｅｄ（ＬＴＥ−Ａ）、アンライセンススペクトル中のＬＴＥ（ＬＴＥ−ｗｈｉｔｅｓｐａｃｅ）、等を指す。本明細書で説明される技法は、上述されたワイヤレスネットワーク及び無線技術並びに他のワイヤレスネットワーク及び無線技術のために使用され得る。明確性のために、態様は、３Ｇ及び／又は４Ｇワイヤレス技術に共通して関連付けられた専門用語を使用して本明
細書で説明され得るが、本開示の態様は、ＮＲ技術を含む、５Ｇ以降などの他の世代ベースの通信システムにおいて適用されることができる。
【００１９】
実例的なワイヤレス通信システム（EXAMPLE WIRELESS COMMUNICATIONS SYSTEM）
[0027]  図１は、本開示の態様が実行され得る、ニューラジオ（ＮＲ）又は５Ｇネットワークなどの実例的なワイヤレスネットワーク１００を例示する。
【００２０】
[0028]  図１に例示されているように、ワイヤレスネットワーク１００は、いくつかのＢＳ１１０及び他のネットワークエンティティを含み得る。ＢＳは、ＵＥと通信する局であり得る。各ＢＳ１１０は、特定の地理的エリアに対して通信カバレッジを提供し得る。３ＧＰＰでは、「セル（cell）」という用語は、その用語が使用されるコンテキストに応じて、ノードＢのカバレッジエリア及び／又はこのカバレッジエリアにサービングするノードＢサブシステムを指すことができる。ＮＲシステムでは、「セル」という用語と、ｅＮＢ、ノードＢ、５Ｇ ＮＲ、ＡＰ、ＮＲ ＢＳ、ＮＲ ＢＳ、ｇＮＢ、又はＴＲＰとは、交換可能であり得る。いくつかの例では、セルは、必ずしも固定式ではないことがあり、セルの地理的エリアは、移動式基地局のロケーションに従って移動し得る。いくつかの例では、基地局は、直接物理接続、仮想ネットワーク、又は任意の適したトランスポートネットワークを使用する同様のものなどの様々なタイプのバックホールインターフェース（backhaul interface）を通じて、ワイヤレスネットワーク１００中で互いに及び／又は１つ又は複数の他の基地局若しくはネットワークノード（図示せず）に相互接続され得る。
【００２１】
[0029]  一般に、任意の数のワイヤレスネットワークが、所与の地理的エリア中に展開され得る。各ワイヤレスネットワークは、特定の無線アクセス技術（ＲＡＴ：radio access technology）をサポートし得、１つ又は複数の周波数上で動作し得る。ＲＡＴはまた、無線技術、エアインターフェース、等と呼ばれ得る。周波数はまた、キャリア、周波数チャネル、等と呼ばれ得る。各周波数は、異なるＲＡＴのワイヤレスネットワーク間の干渉を避けるために、所与の地理的エリア中で単一のＲＡＴをサポートし得る。いくつかのケースでは、ＮＲ又は５Ｇ ＲＡＴネットワークが展開され得る。
【００２２】
[0030]  ＢＳは、マクロセル、ピコセル、フェムトセル、及び／又は他のタイプのセルに対して通信カバレッジを提供し得る。マクロセルは、比較的大きい地理的エリア（例えば、半径数キロメートル）をカバーし得、サービスに加入しているＵＥによる無制限のアクセスを可能にし得る。ピコセルは、比較的小さい地理的エリアをカバーし得、サービスに加入しているＵＥによる無制限のアクセスを可能にし得る。フェムトセルは、比較的小さい地理的エリア（例えば、家）をカバーし得、そのフェムトセルとのアソシエーションを有するＵＥ（例えば、クローズド加入者グループ（ＣＳＧ： Closed Subscriber Group）中のＵＥ、家の中にいるユーザのためのＵＥ、等）による制限されたアクセスを可能にし得る。マクロセルのためのＢＳは、マクロＢＳと呼ばれ得る。ピコセルのためのＢＳは、ピコＢＳと呼ばれ得る。フェムトセルのためのＢＳは、フェムトＢＳ又はホームＢＳと呼ばれ得る。図１に示されている例では、ＢＳ１１０ａ、１１０ｂ及び１１０ｃは、それぞれ、マクロセル１０２ａ、１０２ｂ及び１０２ｃのためのマクロＢＳであり得る。ＢＳ１１０ｘは、ピコセル１０２ｘのためのピコＢＳであり得る。ＢＳ１１０ｙ及び１１０ｚは、それぞれ、フェムトセル１０２ｙ及び１０２ｚのためのフェムトＢＳであり得る。ＢＳは、１つ又は複数の（例えば、３つの）セルをサポートし得る。
【００２３】
[0031]  ワイヤレスネットワーク１００はまた、中継局（relay station）を含み得る。中継局は、アップストリーム局（例えば、ＢＳ又はＵＥ）からデータ及び／又は他の情報の送信を受信し、ダウンストリーム局（例えば、ＵＥ又はＢＳ）にデータ及び／又は他の情報の送信を送る局である。中継局はまた、他のＵＥのための送信を中継するＵＥであり得る。図１に示されている例では、中継局１１０ｒは、ＢＳ１１０ａとＵＥ１２０ｒとの間での通信を容易にするために、ＢＳ１１０ａ及びＵＥ１２０ｒと通信し得る。中継局はまた、中継ＢＳ、中継器、等と呼ばれ得る。
【００２４】
[0032]  ワイヤレスネットワーク１００は、異なるタイプのＢＳ、例えば、マクロＢＳ、ピコＢＳ、フェムトＢＳ、中継器、等を含む異種ネットワークであり得る。これらの異なるタイプのＢＳは、ワイヤレスネットワーク１００中で、異なる送信電力レベル、異なるカバレッジエリア、及び干渉に対する異なる影響を有し得る。例えば、マクロＢＳが高い送信電力レベル（例えば、２０ワット）を有し得るのに対して、ピコＢＳ、フェムトＢＳ、及び中継器は、より低い送信電力レベル（例えば、１ワット）を有し得る。
【００２５】
[0033]  ワイヤレスネットワーク１００は、同期又は非同期動作をサポートし得る。同期動作の場合、ＢＳは、同様のフレームタイミングを有し得、異なるＢＳからの送信は、ほぼ時間的に揃えられ得る（approximately aligned in time）。非同期動作の場合、ＢＳは、異なるフレームタイミングを有し得、異なるＢＳからの送信は、時間的に揃えられないことがある。本明細書で説明される技法は、同期動作及び非同期動作の両方のために使用され得る。
【００２６】
[0034]  ネットワークコントローラ１３０は、ＢＳのセットに結合され得、これらのＢＳに対して調整及び制御を提供し得る。ネットワークコントローラ１３０は、バックホールを介してＢＳ１１０と通信し得る。ＢＳ１１０はまた、例えば、ワイヤレス又はワイヤラインバックホールを介して間接的に又は直接互いに通信し得る。
【００２７】
[0035]  ＵＥ１２０（例えば、１２０ｘ、１２０ｙ、等）は、ワイヤレスネットワーク１００全体を通じて分散され得、各ＵＥは、固定式又は移動式であり得る。ＵＥはまた、モバイル局、端末、アクセス端末、加入者ユニット、局、顧客構内機器（ＣＰＥ：Customer Premises Equipment)、セルラ電話、スマートフォン、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、カメラ、ゲーミングデバイス、ネットブック、スマートブック、ウルトラブック、医療デバイス若しくは医療機器、ヘルスケアデバイス、生体センサ／デバイス、スマートウォッチ、スマートクロージング、スマートグラス、仮想現実ゴーグル、スマートリストバンド、スマートジュエリ（例えば、スマートリング、スマートブレスレット、等）などのウェアラブルデバイス、エンターテインメントデバイス（例えば、音楽デバイス、ビデオデバイス、衛星ラジオ、等）、ビークルコンポーネント若しくはセンサ、スマートメータ／センサ、ロボット、ドローン、工業製造機器、測位デバイス（例えば、ＧＰＳ、北斗、地上の）、又はワイヤレス若しくはワイヤード媒体を介して通信するように構成された任意の他の適したデバイスと呼ばれ得る。いくつかのＵＥは、マシンタイプ通信（ＭＴＣ：machine-type communication）デバイス又は発展型ＭＴＣ（ｅＭＴＣ）デバイスであると考えられ得、それらは、基地局、別のリモートデバイス、又は何らかの他のエンティティと通信し得るリモートデバイスを含み得る。マシンタイプ通信（ＭＴＣ）は、通信の少なくとも一端上に少なくとも１つのリモートデバイスを伴う通信を指し得、ヒューマンインタラクション（human interaction）を必ずしも必要としない１つ又は複数のエンティティを伴うデータ通信の形態を含み得る。ＭＴＣ ＵＥは、例えば、公衆陸上モバイルネットワーク（ＰＬＭＮ：Public Land Mobile Networks）を通じたＭＴＣサーバ及び／又は他のＭＴＣデバイスとのＭＴＣ通信が可能であるＵＥを含み得る。ＭＴＣ及びｅＭＴＣ ＵＥは、例えば、ＢＳ、別のデバイス（例えば、リモートデバイス）、又は何らかの他のエンティティと通信し得る、ロボット、ドローン、リモートデバイス、センサ、メータ、モニタ、カメラ、ロケーションタグ、等を含む。ワイヤレスノードは、例えば、ワイヤード又はワイヤレス通信リンクを介して、ネットワーク（例えば、セルラネットワーク又はインターネットなどのワイドエリアネットワーク）のための、又はそれへの接続性を提供し得る。ＭＴＣ ＵＥ、並びに他のＵＥは、モノのインターネット（ＩｏＴ）デバイス、例えば、ナローバンドＩｏＴ（ＮＢ−ＩｏＴ）デバイスとしてインプリメントされ得る。
【００２８】
[0036]  図１では、両矢印を有する実線は、ＵＥとサービングＢＳとの間での所望される送信を示し、サービングＢＳは、ダウンリンク及び／又はアップリンク上でＵＥにサービングするように指定されたＢＳである。両矢印を有する破線は、ＵＥとＢＳとの間での干渉する送信を示す。
【００２９】
[0037]  ある特定のワイヤレスネットワーク（例えば、ＬＴＥ）は、ダウンリンク上で直交周波数分割多重化（ＯＦＤＭ）を、及びアップリンク上でシングルキャリア周波数分割多重化（ＳＣ−ＦＤＭ）を利用する。ＯＦＤＭ及びＳＣ−ＦＤＭは、システム帯域幅を複数（Ｋ個）の直交サブキャリアに区分化し、それは一般に、トーン、ビン、等とも呼ばれる。各サブキャリアは、データで変調され得る。一般に、変調シンボルは、ＯＦＤＭでは周波数ドメイン中で、及びＳＣ−ＦＤＭでは時間ドメイン中で送られる。隣接サブキャリア間の間隔は、固定され得、サブキャリアの総数（Ｋ個）は、システム帯域幅に依存し得る。例えば、サブキャリアの間隔は、１５ｋＨｚであり得、（「リソースブロック（resource block）」と呼ばれる）最小リソース割り振り（minimum resource allocation）は、１２個のサブキャリア（すなわち１８０ｋＨｚ）であり得る。その結果として、公称ＦＦＴサイズは、１．２５、２．５、５、１０又は２０メガヘルツ（ＭＨｚ）のシステム帯域幅に対して、それぞれ、１２８、２５６、５１２、１０２４又は２０４８に等しくなり得る。システム帯域幅はまた、サブバンドに区分化され得る。例えば、サブバンドは、１．０８ＭＨｚ（例えば、６つのリソースブロック）をカバーし得、１．２５、２．５、５、１０又は２０ＭＨｚのシステム帯域幅に対して、それぞれ、１、２、４、８又は１６個のサブバンドが存在し得る。
【００３０】
本明細書で説明される例の態様は、ＬＴＥ技術に関連付けられ得るが、本開示の態様は、ＮＲのなどの他のワイヤレス通信に適用可能であり得る。ＬＴＥでは、基本送信時間間隔（ＴＴＩ）又はパケット持続時間は、1サブフレームである。ＮＲでは、サブフレームは、依然として１ｍｓであるが、基本ＴＴＩは、スロットと呼ばれる。サブフレームは、トーン間隔（例えば、１５、３０、６０、１２０、２４０．．．ｋＨｚ）に応じて可変数のスロット（例えば、１、２、４、８、１６．．．個のスロット）を包含する。ＮＲは、アップリンク及びダウンリンク上でのＣＰを伴うＯＦＤＭを利用し得、時分割複信（ＴＤＤ）を使用する半二重動作のためのサポートを含み得る。１００ＭＨｚの単一のコンポーネントキャリア帯域幅がサポートされ得る。ＮＲリソースブロックは、０．１ｍｓの持続期間にわたって７５ｋＨｚのサブキャリア帯域幅を有する１２個のサブキャリアに及び得る。各無線フレームは、１０ｍｓの長さを有する２つの半フレームから成り得、各半フレームは、５つのサブフレームから成る。その結果として、各サブフレームは、１ｍｓの長さを有し得る。各サブフレームは、データ送信のためのリンク方向（例えば、ＤＬ又はＵＬ）を示し得、各サブフレームのためのリンク方向は、動的に切り替えられ得る。各サブフレームは、ＤＬ／ＵＬデータ並びにＤＬ／ＵＬ制御データを含み得る。ビームフォーミングがサポートされ得、ビーム方向が動的に構成され得る。プリコーディングを伴うＭＩＭＯ送信もまたサポートされ得る。ＤＬにおけるＭＩＭＯ構成は、最大８つのストリーム及びＵＥ毎に最大２つのストリームのマルチレイヤＤＬ送信を伴う最大８つの送信アンテナをサポートし得る。ＵＥ毎に最大２つのストリームを伴うマルチレイヤ送信がサポートされ得る。複数のセルのアグリゲーションが、最大８つのサービングセルを伴ってサポートされ得る。代替として、ＮＲは、ＯＦＤＭベース以外の異なるエアインターフェースをサポートし得る。ＮＲネットワークは、エンティティ、そのようなＣＵ及び／又はＤＵを含み得る。
【００３１】
[0038]  いくつかの例では、エアインターフェースへのアクセスがスケジューリングされ得、ここにおいて、スケジューリングエンティティ（例えば、基地局）は、そのサービスエリア又はセル内のいくつか又は全てのデバイス及び機器間での通信のためにリソースを割り振る。本開示内では、更に以下に論述されるように、スケジューリングエンティティは、１つ又は複数の下位（subordinate）エンティティのためのリソースをスケジューリング、割り当て、再構成、及び解放することを担い得る。即ち、スケジューリングされた通信のために、下位エンティティは、スケジューリングエンティティによって割り振られたリソースを利用する。基地局は、スケジューリングエンティティとして機能し得る唯一のエンティティではない。即ち、いくつかの例では、ＵＥが、スケジューリングエンティティとして機能し得、１つ又は複数の下位エンティティ（例えば、１つ又は複数の他のＵＥ）のためのリソースをスケジューリングする。この例では、ＵＥは、スケジューリングエンティティとして機能しており、他のＵＥは、ワイヤレス通信のために該ＵＥによってスケジューリングされたリソースを利用する。ＵＥは、ピアツーピア（Ｐ２Ｐ）ネットワーク中で、及び／又はメッシュネットワーク中でスケジューリングエンティティとして機能し得る。メッシュネットワークの例では、ＵＥはオプションとして、スケジューリングエンティティと通信することに加えて、互いに直接通信し得る。
【００３２】
[0039]  このことから、時間−周波数リソースへのスケジューリングされたアクセスを伴い、且つセルラ構成、Ｐ２Ｐ構成、及びメッシュ構成を有するワイヤレス通信ネットワークでは、スケジューリングエンティティ及び１つ又は複数の下位エンティティは、スケジューリングされたリソースを利用して通信し得る。
【００３３】
[0040]  上述されたように、ＲＡＮは、ＣＵ及びＤＵを含み得る。ＮＲ ＢＳ（例えば、ｅＮＢ、５ＧノードＢ、ノードＢ、送受信ポイント（ＴＲＰ）、アクセスポイント（ＡＰ：access point））は、１つ又は複数のＢＳに対応し得る。ＮＲセルは、アクセスセル（ＡＣｅｌｌ：access cell）又はデータオンリセル（ＤＣｅｌｌ：data only cells）として構成されることができる。例えば、ＲＡＮ（例えば、集中型ユニット又は分散型ユニット）は、セルを構成することができる。ＤＣｅｌｌは、キャリアグリゲーション又はデュアルコネクティビティのために使用されるが、初期アクセス、セル選択／再選択、又はハンドオーバのためには使用されないセルであり得る。いくつかのケースでは、ＤＣｅｌｌは、同期信号を送信しないことがある−いくつかのケースケース（case cases）では、ＤＣｅｌｌは、ＳＳを送信し得る。ＮＲ ＢＳは、セルタイプ（cell type）を示すダウンリンク信号をＵＥに送信し得る。セルタイプインジケーションに基づいて、ＵＥは、ＮＲ ＢＳと通信し得る。例えば、ＵＥは、示されたセルタイプに基づいて、セル選択、アクセス、ハンドオーバ、及び／又は測定のために考慮するＮＲ ＢＳを決定し得る。
【００３４】
[0041]  図２は、分散型無線アクセスネットワーク（ＲＡＮ：radio access network）２００の実例的な論理アーキテクチャを例示しており、それは、図１に例示されているワイヤレス通信システムにおいてインプリメントされ得る。５Ｇアクセスノード２０６は、アクセスノードコントローラ（ＡＮＣ：access node controller）２０２を含み得る。ＡＮＣは、分散型ＲＡＮ２００の集中型ユニット（ＣＵ：central unit）であり得る。次世代コアネットワーク（ＮＧ−ＣＮ：next generation core network）２０４へのバックホールインターフェースは、ＡＮＣにおいて終端し得る。近隣の次世代アクセスノード（ＮＧ−ＡＮ：next generation access node）へのバックホールインターフェースは、ＡＮＣにおいて終端し得る。ＡＮＣは、１つ又は複数のＴＲＰ２０８を含み得る（それはまた、ＢＳ、ＮＲ ＢＳ、ノードＢ、５Ｇ ＮＢ、ＡＰ、ｇＮＢ、又は何らかの他の用語で呼ばれ得る）。上述されたように、ＴＲＰは、「セル」と交換可能に使用され得る。
【００３５】
[0042]  ＴＲＰ２０８は、ＤＵであり得る。ＴＲＰは、１つのＡＮＣ（ＡＮＣ２０２）又は１つよりも多くのＡＮＣ（例示せず）に接続され得る。例えば、ＲＡＮ共有、サービスとしての無線（ＲａａＳ：radio as a service）、及びサービス固有ＡＮＤ展開（service specific AND deployments）のために、ＴＲＰは、１つよりも多くのＡＮＣに接続され得る。ＴＲＰは、１つ又は複数のアンテナポートを含み得る。ＴＲＰは、ＵＥにトラフィックを個々に（例えば、動的選択）又は共同で（例えば、共同送信）サービングするように構成され得る。
【００３６】
[0043]  ローカルアーキテクチャ２００は、フロントホール定義（fronthaul definition）を例示するために使用され得る。異なる展開タイプにわたってフロントホーリングソリューション（fronthauling solutions）をサポートするアーキテクチャが定義され得る。例えば、アーキテクチャは、送信ネットワーク能力（例えば、帯域幅、レイテンシ、及び／又はジッタ（jitter））に基づき得る。
【００３７】
[0044]  アーキテクチャは、ＬＴＥと特徴及び／又はコンポーネントを共有し得る。態様によると、次世代ＡＮ（ＮＧ−ＡＮ）２１０は、ＮＲとのデュアルコネクティビティをサポートし得る。ＮＧ−ＡＮは、ＬＴＥ及びＮＲについて共通のフロントホールを共有し得る。
【００３８】
[0045]  アーキテクチャは、ＴＲＰ２０８の間及び中（between and among）での協働（cooperation）を可能にし得る。例えば、協働は、ＡＮＣ２０２を介して複数のＴＲＰにわたって及び／又は１つのＴＲＰ内で予め設定され得る。態様によると、ＴＲＰ間インターフェースは、必要とされない／存在しないことがある。
【００３９】
[0046]  態様によると、分けられた論理機能（split logical functions）の動的構成が、アーキテクチャ２００内に存在し得る。図５を参照してより詳細に説明されることになるように、無線リソース制御（ＲＲＣ：Radio Resource Control）レイヤ、パケットデータコンバージェンスプロトコル（ＰＤＣＰ：Packet Data Convergence Protocol）レイヤ、無線リンク制御（ＲＬＣ：Radio Link Control）レイヤ、媒体アクセス制御（ＭＡＣ：Medium Access Control）レイヤ、及び物理（ＰＨＹ：Physical）レイヤが、ＤＵ又はＣＵ（例えば、それぞれ、ＴＲＰ又はＡＮＣ）においてに適応的に配置され得る。ある特定の態様によると、ＢＳは、１つの集中型ユニット（ＣＵ）（例えば、ＡＮＣ２０２）及び／又は１つ又は複数の分散型ユニット（例えば、１つ又は複数のＴＲＰ２０８）を含み得る。
【００４０】
[0047]  図３は、本開示の態様に従って、分散型ＲＡＮ３００の実例的な物理アーキテクチャを例示する。集中型コアネットワークユニット（Ｃ−ＣＵ：centralized core network unit）３０２は、コアネットワーク機能をホストし得る。Ｃ−ＣＵは、集中的に（centrally）展開され得る。Ｃ−ＣＵの機能は、ピーク容量を処理するために（例えば、アドバンストワイヤレスサービス（ＡＷＳ）に）オフロードされ得る。
【００４１】
[0048]  集中型ＲＡＮユニット（Ｃ−ＲＵ）３０４は、１つ又は複数のＡＮＣ機能をホストし得る。オプションとして、Ｃ−ＲＵは、局所的にコアネットワーク機能をホストし得る。Ｃ−ＲＵは、分散型展開を有し得る。Ｃ−ＲＵは、ネットワークエッジにより近くあり得る。
【００４２】
[0049]  ＤＵ３０６は、１つ又は複数のＴＲＰ（エッジノード（ＥＮ）、エッジユニット（ＥＵ）、無線ヘッド（ＲＨ）、スマート無線ヘッド（ＳＲＨ）、又は同様のもの）をホストし得る。ＤＵは、無線周波数（ＲＦ）機能を有するネットワークのエッジ（edge）にロケートされ得る。
【００４３】
[0050]  図4は、図１に例示されているＢＳ１１０及びＵＥ１２０の実例的なコンポーネントを例示しており、それらは、本開示の態様をインプリメントするために使用され得る。上述されたように、ＢＳは、ＴＲＰを含み得る。ＢＳ１１０及びＵＥ１２０の１つ又は複数のコンポーネントは、本開示の態様を実施するために使用され得る。例えば、ＵＥ１２０のアンテナ４５２、プロセッサ４６６、４５８、４６４、及び／又はコントローラ／プロセッサ４８０、及び／又はＢＳ１１０のアンテナ４３４、プロセッサ４３０、４２０、４３８、及び／又はコントローラ／プロセッサ４４０は、本明細書で説明され、且つ図９及び１０を参照して例示される動作を実行するために使用され得る。
【００４４】
[0051]  図４は、ＢＳ１１０及びＵＥ１２０の設計のブロック図を示しており、それらは、図１におけるＢＳのうちの１つ及びＵＥのうちの１つであり得る。制限されたアソシエーションシナリオの場合、基地局１１０は、図１におけるマクロＢＳ１１０ｃであり得、ＵＥ１２０は、ＵＥ１２０ｙであり得る。基地局１１０はまた、何らかの他のタイプの基地局であり得る。基地局１１０は、アンテナ４３４ａ〜４３４ｔを装備され得、ＵＥ１２０は、アンテナ４５２ａ〜４５２ｒを装備され得る。
【００４５】
[0052]  基地局１１０において、送信プロセッサ４２０は、データソース４１２からデータを、及びコントローラ／プロセッサ４４０から制御情報を受信し得る。制御情報は、物理ブロードキャストチャネル（ＰＢＣＨ）、物理制御フォーマットインジケータチャネル（ＰＣＦＩＣＨ）、物理ハイブリッドＡＲＱインジケータチャネル（ＰＨＩＣＨ）、物理ダウンリンク制御チャネル（ＰＤＣＣＨ：Physical Downlink Control Channel）、等のためのものであり得る。データは、物理ダウンリンク共有チャネル（ＰＤＳＣＨ：Physical Downlink Shared Channel）、等のためのものであり得る。プロセッサ４２０は、データ及び制御情報を処理（例えば、符号化及びシンボルマッピング）して、それぞれデータシンボル及び制御シンボルを取得し得る。プロセッサ４２０はまた、例えば、ＰＳＳ、ＳＳＳ、及びセル固有基準信号のための基準シンボルを生成し得る。送信（ＴＸ）多入力多出力（ＭＩＭＯ）プロセッサ４３０は、適用可能な場合、データシンボル、制御シンボル、及び／又は基準シンボルに対して空間処理（例えば、プリコーディング）を実行し得、変調器（ＭＯＤ）４３２ａ〜４３２ｔに出力シンボルストリームを提供し得る。例えば、ＴＸ ＭＩＭＯプロセッサ４３０は、ＲＳ多重化のために、本明細書で説明されるある特定の態様を実行し得る。各変調器４３２は、（例えば、ＯＦＤＭ、等のために）それぞれの出力シンボルストリームを処理して、出力サンプルストリームを取得し得る。各変調器４３２は更に、出力サンプルストリームを処理（例えば、アナログに変換、増幅、フィルタリング、及びアップコンバート）して、ダウンリンク信号を取得し得る。変調器４３２ａ〜４３２ｔからのダウンリンク信号は、それぞれ、アンテナ４３４ａ〜４３４ｔを介して送信され得る。
【００４６】
[0053]  ＵＥ１２０において、アンテナ４５２ａ〜４５２ｒは、基地局１１０からダウンリンク信号を受信し得、それぞれ、復調器（ＤＥＭＯＤ）４５４ａ〜４５４ｒに受信された信号を提供し得る。各復調器４５４は、それぞれの受信された信号を調整（例えば、フィルタリング、増幅、ダウンコンバート、及びデジタル化）して、入力サンプルを取得し得る。各復調器４５４は更に、（例えば、ＯＦＤＭ、等のために）入力サンプルを処理して、受信されたシンボルを取得し得る。ＭＩＭＯ検出器４５６は、全ての復調器４５４ａ〜４５４ｒから、受信されたシンボルを取得し、適用可能な場合には受信されたシンボルに対してＭＩＭＯ検出を実行し、検出されたシンボルを提供し得る。例えば、ＭＩＭＯ検出器４５６は、本明細書で説明される技法を使用して送信される検出されたＲＳを提供し得る。受信プロセッサ４５８は、検出されたシンボルを処理（例えば、復調、デインタリーブ、及び復号）し、データシンク４６０にＵＥ１２０のための復号されたデータを提供し、コントローラ／プロセッサ４８０に復号された制御情報を提供し得る。１つ又は複数のケースによると、ＣｏＭＰの態様は、アンテナ、並びにいくつかのＴｘ／Ｒｘ機能を提供することを含むことができ、それにより、それらは、分散型ユニット中に存在する。例えば、いくつかのＴｘ／Ｒｘ処理は、集中型ユニット中で行われることができるが、他の処理は、分散型ユニットにおいて行われることができる。例えば、図に示されているような１つ又は複数の態様に従って、ＢＳ変調器／復調器４３２は、分散型ユニット中にあり得る。
【００４７】
[0054]  アップリンク上では、ＵＥ１２０において、送信プロセッサ４６４は、データソース４６２から（例えば、物理アップリンク共有チャネル（ＰＵＳＣＨ：Physical Uplink Shared Channel）のための）データを、及びコントローラ／プロセッサ４８０から（例えば、物理アップリンク制御チャネル（ＰＵＣＣＨ：Physical Uplink Control Channel）のための）制御情報を受信及び処理し得る。送信プロセッサ４６４はまた、基準信号のための基準シンボルを生成し得る。送信プロセッサ４６４からのシンボルは、適用可能な場合にはＴＸ ＭＩＭＯプロセッサ４６６によってプリコーディングされ、（例えば、ＳＣ−ＦＤＭ、等のために）復調器４５４ａ〜４５４ｒによって更に処理され、基地局１１０に送信され得る。ＢＳ１１０において、ＵＥ１２０からのアップリンク信号は、アンテナ４３４によって受信され、変調器４３２によって処理され、適用可能な場合にはＭＩＭＯ検出器４３６によって検出され、受信プロセッサ４３８によって更に処理されて、ＵＥ１２０によって送られた復号されたデータ及び制御情報が取得され得る。受信プロセッサ４３８は、データシンク４３９に復号されたデータを、及びコントローラ／プロセッサ４４０に復号された制御情報を提供し得る。
【００４８】
[0055]  コントローラ／プロセッサ４４０及び４８０は、それぞれ、基地局１１０及びＵＥ１２０における動作を指示し得る。基地局１１０におけるプロセッサ４４０及び／又は他のプロセッサ及びモジュールは、本明細書で説明される技法のためのプロセスを実行又は指示し得る。ＵＥ１２０におけるプロセッサ４８０及び／又は他のプロセッサ及びモジュールもまた、本明細書で説明される技法のためのプロセスを実行又は指示し得る。メモリ４４２及び４８２は、それぞれ、ＢＳ１１０及びＵＥ１２０のためのデータ及びプログラムコードを記憶し得る。スケジューラ４４４は、ダウンリンク及び／又はアップリンク上でのデータ送信のためにＵＥをスケジューリングし得る。
【００４９】
[0056]  図５は、本開示のある特定の態様に従って、通信プロトコルスタック（communications protocol stack）をインプリメントするための例を示す図５００を例示する。例示されている通信プロトコルスタックは、５Ｇシステム（例えば、アップリンクベースのモビリティをサポートするシステム）中で動作しているデバイスによってインプリメントされ得る。図５００は、無線リソース制御（ＲＲＣ）レイヤ５１０、パケットデータコンバージェンスプロトコル（ＰＤＣＰ）レイヤ５１５、無線リンク制御（ＲＬＣ）レイヤ５２０、媒体アクセス制御（ＭＡＣ）レイヤ５２５、及び物理（ＰＨＹ）レイヤ５３０を含む通信プロトコルスタックを例示する。様々な例では、プロトコルスタックのレイヤは、ソフトウェアの別個のモジュール、プロセッサ又はＡＳＩＣの一部分、通信リンクによって接続されたコロケートされていないデバイスの一部分、又はそれらの様々な組み合わせとしてインプリメントされ得る。コロケートされた及びコロケートされていないインプリメンテーションは、例えば、ネットワークアクセスデバイス（例えば、ＡＮ、ＣＵ、及び／又はＤＵ）又はＵＥのためのプロトコルスタック中で使用され得る。
【００５０】
[0057]  第１のオプション５０５−ａは、プロトコルスタックの分けられたインプリメンテーションを示しており、それにおいて、プロトコルスタックのインプリメンテーションは、集中型ネットワークアクセスデバイス（例えば、図２におけるＡＮＣ２０２）と分散型ネットワークアクセスデバイス（例えば、図２におけるＤＵ２０８）との間で分けられる。第１のオプション５０５−ａでは、ＲＲＣレイヤ５１０及びＰＤＣＰレイヤ５１５は、集中型ユニットによってインプリメントされ得、ＲＬＣレイヤ５２０、ＭＡＣレイヤ５２５、及びＰＨＹレイヤ５３０は、ＤＵによってインプリメントされ得る。様々な例では、ＣＵ及びＤＵは、コロケートされることも、コロケートされないこともある。第１のオプション５０５−ａは、マクロセル、ミクロセル、又はピコセル展開において有用であり得る。
【００５１】
[0058]  第２のオプション５０５−ｂは、プロトコルスタックの統合されたインプリメンテーションを示しており、それにおいて、プロトコルスタックは、単一のネットワークアクセスデバイス（例えば、アクセスノード（ＡＮ）、ニューラジオ基地局（ＮＲ ＢＳ）、ニューラジオノードＢ（ＮＲ ＮＢ）、ネットワークノード（ＮＮ）、又は同様のもの）においてインプリメントされる。第２のオプションでは、ＲＲＣレイヤ５１０、ＰＤＣＰレイヤ５１５、ＲＬＣレイヤ５２０、ＭＡＣレイヤ５２５、及びＰＨＹレイヤ５３０は各々、ＡＮによってインプリメントされ得る。第２のオプション５０５−ｂは、フェムトセル展開において有用であり得る。
【００５２】
[0059]  ネットワークアクセスデバイスがプロトコルスタックの一部をインプリメントするか、又は全てをインプリメントするかにかかわらず、ＵＥは、プロトコルスタック全体（例えば、ＲＲＣレイヤ５１０、ＰＤＣＰレイヤ５１５、ＲＬＣレイヤ５２０、ＭＡＣレイヤ５２５、及びＰＨＹレイヤ５３０）をインプリメントし得る。
【００５３】
[0060]  図６は、ＮＲのためのフレームフォーマット６００の例を示す図である。ダウンリンク及びアップリンクの各々のための送信タイムラインは、無線フレームの単位に区分化され得る。各無線フレームは、所定の持続時間（例えば、１０ｍｓ）を有し得、０〜９のインデックスを有する、各々が１ｍｓの１０個のサブフレームに区分化され得る。各サブフレームは、サブキャリア間隔（subcarrier spacing）に応じて可変数のスロットを含み得る。各スロットは、サブキャリア間隔に応じて可変数のシンボル期間（例えば、７又は１４個のシンボル）を含み得る。各サブフレーム中のシンボル期間は、インデックスを割り当てられ得る。サブスロット構造と呼ばれ得るミニスロットは、スロット（例えば、２、３、又は４つのシンボル）未満の持続時間を有する送信時間間隔を指す。
【００５４】
[0061]  スロット中の各サブフレームは、データ送信のためのリンク方向（例えば、ＤＬ、ＵＬ、又はフレキシブル）を示し得、各サブフレームのためのリンク方向は、動的に切り替えられ得る。リンク方向は、スロットフォーマットに基づき得る。各スロットは、ＤＬ／ＵＬデータ並びにＤＬ／ＵＬ制御情報を含み得る。
【００５５】
[0062]  ＮＲでは、同期信号（ＳＳ：synchronization signal）ブロック（ＳＳＢ）が送信される。ＳＳブロックは、ＰＳＳ、ＳＳＳ、及び２シンボルＰＢＣＨを含む。ＳＳブロックは、図６に示されたシンボル０〜３などの固定されたスロットロケーションにおいて送信されることができる。ＰＳＳ及びＳＳＳは、セル探索及び捕捉のためにＵＥによって使用され得る。ＰＳＳは、半フレームタイミングを提供し得、ＳＳは、ＣＰ長及びフレームタイミングを提供し得る。ＰＳＳ及びＳＳＳは、セルアイデンティティを提供し得る。ＰＢＣＨは、ダウンリンクシステム帯域幅、無線フレーム内のタイミング情報、ＳＳバーストセット周期性、システムフレーム番号、等など、何らかの基本システム情報を搬送する。ＳＳブロックは、ビームスイーピングをサポートするためにＳＳバーストに編成され得る。残りの最小システム情報（ＲＭＳＩ）、システム情報ブロック（ＳＩＢ）、他のシステム情報（ＯＳＩ）などの更なるシステム情報は、ある特定のサブフレーム中に物理ダウンリンク共有チャネル（ＰＤＳＣＨ）上で送信されることができる。ＳＳブロックは、例えば、ｍｍＷのための最大６４個の異なるビーム方向を用いて、最大６４回送信されることができる。ＳＳブロックの最大６４回の送信は、ＳＳバーストセットと呼ばれる。ＳＳバーストセット中のＳＳブロックは、同じ周波数領域中で送信されるが、異なるＳＳバーストセット中のＳＳブロックは、異なる周波数ロケーションにおいて送信されることができる。
【００５６】
[0063]  いくつかの状況では、２つ以上の下位エンティティ（例えば、ＵＥ）が、サイドリンク信号（sidelink signal）を使用して互いに通信し得る。そのようなサイドリンク通信の実世界でのアプリケーションは、公共の安全性、近接サービス、ＵＥ対ネットワーク中継、ビークルツービークル（Ｖ２Ｖ：vehicle-to-vehicle）通信、あらゆるモノのインターネット（ＩｏＥ：Internet of Everything）通信、ＩｏＴ通信、ミッションクリティカルメッシュ、及び／又は様々な他の適したアプリケーションを含み得る。一般に、サイドリンク信号は、スケジューリングエンティティ（例えば、ＵＥ又はＢＳ）がスケジューリング及び／又は制御の目的で利用され得るとしても、そのスケジューリングエンティティを通じてその通信を中継することなしに、ある下位エンティティ（例えば、ＵＥ１）から別の下位エンティティ（例えば、ＵＥ２）に通信される信号を指し得る。いくつかの例では、サイドリンク信号は、（典型的にアンライセンススペクトルを使用するワイヤレスローカルエリアネットワークとは異なり）ライセンススペクトルを使用して通信され得る。
【００５７】
[0064]  ＵＥは、リソースの専用セットを使用してパイロットを送信することに関連付けられた構成（例えば、無線リソース制御（ＲＲＣ）専用状態、等）、又はリソースの共通セットを使用してパイロットを送信することに関連付けられた構成（例えば、ＲＲＣ共通状態、等）を含む、様々な無線リソース構成で動作し得る。ＲＲＣ専用状態で動作するとき、ＵＥは、ネットワークにパイロット信号を送信するためにリソースの専用セットを選択し得る。ＲＲＣ共通状態で動作するとき、ＵＥは、ネットワークにパイロット信号を送信するためにリソースの共通セットを選択し得る。いずれのケースでも、ＵＥによって送信されたパイロット信号は、ａｎ、若しくはＤＵ、又はそれらの一部分などの、１つ又は複数のネットワークアクセスデバイスによって受信され得る。各受信するネットワークアクセスデバイスは、リソースの共通セット上で送信されたパイロット信号を受信及び測定することと、そのネットワークアクセスデバイスがＵＥのためのネットワークアクセスデバイスのモニタリングセットのメンバであるＵＥに割り振られたリソースの専用セット上で送信されたパイロット信号も受信及び測定することとを行うように構成され得る。受信するネットワークアクセスデバイスのうちの１つ又は複数、又は受信するネットワークアクセスデバイス（１つ以上）がパイロット信号の測定値をそれに対して送信するＣＵは、ＵＥのためのサービングセルを識別するために、又はＵＥのうちの１つ又は複数のためのサービングセルの変更を開始するために測定値を使用し得る。
【００５８】
アンテナアレイモジュールモード調整の例（EXAMPLES OF ANTENNA ARRAY MODULE MODE ADJUSTMENTS）
[0065]  ＵＥは、例えば、ＵＥが異なるロケーション及び／又は配向（orientation）にある間に、送信及び受信を最適化するために、ＵＥ上又はＵＥ内の異なるロケーションにおいて提供されるいくつかの異なるアンテナアレイモジュールを有し得る。各アンテナモジュール（又はパネル）の配置は、特定のＵＥと、モジュールの各々の数、サイズ、及び他の特性とに応じて異なり得る。
【００５９】
[0066]  本開示の態様による、ＵＥ７００及びアンテナアレイモジュール配置の１つの可能な構成の例が図７に示される。この実施形態に示されるように、ＵＥ７００は、２つのモジュール７０２及び７０４を含む。モジュール１（７０２）とラベル付けされたモジュールのうちの第１のモジュールは、デバイスの左上隅におけるＵＥ７００の前面にロケートされるように示されている。加えて、モジュール２（７０４）とラベル付けされた第２のモジュールは、ＵＥデバイス７００の右下隅の背面にロケートされるように示されている。
【００６０】
[0067]  電力を節約するために、図７に示されたＵＥ７００などのＵＥは、他のアンテナアレイモジュールを低電力（スリープ）モードに保ちながら、１つのアンテナアレイモジュール（又はアンテナアレイモジュールの何らかのサブセット）のみを電源投入ウェイク（サービング）モードに保ち得る。同じ電力投入されたモジュール内の（第１のビームから第２のビームへの）ビーム切り替えレイテンシは、典型的には短く、予測可能である。例えば、ビーム切り替えレイテンシは、ビーム切り替えコマンドを有するダウンリンク制御情報（ＤＣＩ：downlink control information）を受信してから実際にビーム切り替えが完了するまで、約２５０ｕｓ又はそれ未満であり得る。しかしながら、ウェイクアップ（wakeup）モジュール及びスリープ（sleep）モジュールにわたる（電源投入されたモジュールに関連付けられた第１のビームから電源停止されたモジュールに関連付けられた第２のビームへの）ビーム切り替えレイテンシは、ＵＥ能力（capability）及び低電力（スリープ）タイプ、例えば、ディープスリープ／ライトスリープ（deep sleep/light sleep）に依存する。
【００６１】
[0068]  アンテナアレイモジュールモード切り替え及びタイミングの例が図8に示される。図８は、本開示の態様による、経時的なアンテナアレイモジュール（モジュール１及びモジュール２）のためのモード調整８００の例を例示する。
【００６２】
[0069]  示されているように、モジュール１は、ウェイクアップモード８０２で始まり得、モジュール２は、スリープモード８０６で始まり得る。モジュール１は、電源投入（ウェイクアップ）モード８０２からウェイクし、低電力（スリープ）モード８０４に遷移し得、それは、モジュール２が依然としてスリープモード８０６にある間に生じ得る。モジュール２はその後、示されているように、スリープモード８０６からウェイクアップモード８０８に遷移し得る。
【００６３】
[0070]  更に、ネットワークエンティティ（例えば、ＮＢ）からのビーム切り替えコマンドは、モジュール１がウェイクアップモード８０２にあり、モジュール２がスリープモード８０６にあるときに受信されるものとして示されている。図８には、（電源投入されたモジュール１からスリープモードにあるモジュール２への）モジュールにわたるビーム切り替えレイテンシの例も示されている。示されているように、ビーム切り替えレイテンシは、ビーム切り替えコマンドが受信されてからモジュール２がアウェイク（awake）するまでの時間に対応する。
【００６４】
[0071]  残念ながら、ビーム切り替えのためのターゲットモジュールがスリープモードにあるかどうかを知らないと、ＮＢは、対応するビーム切り替え時間を知らないことがある。本開示の態様は、しかしながら、ＵＥがビーム切り替えレイテンシを示すためのメカニズムを提供する。ＮＢは、例えば、いつビーム切り替えが完了し、ＵＥが送信（例えば、ＣＳＩ−ＲＳ送信などの測定信号（measurement signal））を処理することが可能になるかを決定するために、この示されたレイテンシを使用し得る。
【００６５】
ビーム切り替え時間能力のフィードバックの例（EXAMPLES OF FEEDBACK OF BEAM SWITCH TIME CAPABILITY）
[0072]  本明細書で開示される１つ又は複数の態様に従って、ＵＥのビーム切り替え時間能力のフィードバックが提供される。いくつかのケースでは、ＵＥは、ビーム切り替えレイテンシのインジケーションをシグナリングし得、それは、ターゲットモジュールがスリープモードにあるケースなどのシナリオに対処するのに役立ち得る。いくつかのケースでは、インジケーションは、ＵＥ能力交換の一部として提供され得る。本明細書で開示されるある特定の態様に従って、ＵＥは、全てのソース／ターゲットモジュールペアにわたる最大ビーム切り替えレイテンシのみをフィードバックし得るか、切り替え毎にビーム切り替えレイテンシを動的にシグナリングし得るか、又はＵＥは、ターゲットモジュール毎にビーム切り替えレイテンシをフィードバックし得る。
【００６６】
[0073]  図９は、本開示の態様による、ユーザ機器（ＵＥ）などの第１のデバイス（first device）によって実行され得るワイヤレス通信のための動作９００を例示する。例えば、動作９００は、複数のアンテナアレイモジュールを用いて図７のＵＥ７００によって実行され得る。
【００６７】
[0074]  動作９００は、９０２において、ターゲットアンテナアレイモジュールが低電力モードにあるときに、ソースアンテナアレイモジュールからターゲットモジュールへのビーム切り替えに関連付けられたレイテンシを決定することによって始まる。９０４において、第１のデバイスは、第２のデバイス（second device）が第１のデバイスにビーム切り替えコマンドを送った後に、第１のデバイスが測定信号のセットを処理することがいつ可能になるかを決定するために、レイテンシを使用するように第２のデバイスにシグナリングする。測定信号のセットは、例えば、チャネル状態情報基準信号（ＣＳＩ−ＲＳ：channel state information reference signal）、測定目的のために使用される（例えば、図６に示されたＳＳブロック中で搬送される）ある特定の同期信号、及び／又は任意の他のタイプの測定信号を含み得る。
【００６８】
[0075]  図１０は、本開示の態様による、第１のデバイス（例えば、ネットワークエンティティ）によって実行され得るワイヤレス通信のための動作１０００を例示する。例えば、動作１０００は、上述された図９の動作９００を実行するＵＥにサービングする図４の基地局１１０によって実行され得る。
【００６９】
[0076]  動作１０００は、１００２において、第２のデバイスにおけるビーム切り替えに関連付けられたレイテンシを示すシグナリングを第２のデバイスから受信することによって始まる。１００４において、第１のデバイスは、第１のデバイスが第２のデバイスにビーム切り替えコマンドを送った後に、第２のデバイスが測定信号のセットを処理することがいつ可能になるかを決定するために、レイテンシを使用する。
【００７０】
[0077]  ＵＥによって示されるレイテンシは、ビーム切り替え実行し、切り替えの後に後続の送信を処理することが可能になるようにするためにＵＥによって必要とされる最小処理時間を示し得る。例えば、ダウンリンク制御情報（ＤＣＩ）送信が非周期的ＣＳＩ−ＲＳ（Ａ−ＣＳＩ−ＲＳ）送信をトリガする場合、ＵＥは、ＤＣＩ中に示されるスケジューリングオフセットがビーム切り替えレイテンシのための最小時間より大きい場合にのみ、ＣＳＩ−ＲＳ送信を処理することが可能であり得る。
【００７１】
[0078]  このことから、ＵＥが１つ又は複数のレイテンシ値をシグナリングした場合、ＮＢ（ｇＮＢ）は、スケジューリングＤＣＩの少なくともこの時間量後にＡ−ＣＳＩ−ＲＳを構成するべきである。これは、ＵＥが、他のスケジューリングＤＣＩの場合、示されたビームに基づいて同時にＡ−ＣＳＩ−ＲＳ送信を受信するために、スリープしていた全てのアンテナアレイモジュール（パネル）をオンにする／ウェイクアップするのに十分な時間を有することを保証するのに役立ち得る。
【００７２】
[0079]  いくつかのケースでは、ＵＥは、１つ又は複数のパネルをオンにするために／同時受信のためにＵＥが使用する必要がある単一の時間値をシグナリングし得る。いくつかのケースでは、レイテンシ値がパネル間ビーム切り替えのためのものであることを明示的にシグナリングするのではなく、ＵＥは、単にレイテンシ値をシグナリングし得る。そのようなケースでは、ＮＢは、ＵＥがレイテンシに対して高い数をシグナリングするときの意図された使用は、ＵＥが（同じパネル中でビームを切り替えることとは対照的に）全てのパネルをオンにするのに十分な時間を望むことであると推論し得る。ＵＥは、ディープスリープからでもパネルをオンにするのに十分な時間を提供するために、全てのパネルにわたるビーム切り替えをカバーするのに十分に大きい値をシグナリングし得る。
【００７３】
[0080]  ＮＢの観点から、ビーム切り替えレイテンシのためにシグナリングされる各値は、ＮＢがビームを切り替えるようにＵＥにシグナリングするとき、それがＣＳＩ−ＲＳを処理することができる前に少なくともそれだけの多くの時間をＵＥに与える必要があることを示し得る。
【００７４】
[0081]  いくつかのケースでは、示されたレイテンシは、全ての可能なソース及びターゲットアンテナアレイモジュールペアにわたるビーム切り替えのための最大ビーム切り替えレイテンシを含み得る。更に、示されたレイテンシは、固定され得、ネットワークエンティティは、少なくとも全てのクロスモジュールビーム切り替え（cross-module beam switch）について、示されたレイテンシを常に仮定し得る。また、ＵＥは、ターゲットアンテナアレイモジュールの現在の電力モード（current power mode）に基づいて、示されたレイテンシを動的に更新し得る（例えば、モジュールがライトスリープモードよりディープスリープモードにある場合、より長いレイテンシが使用される）。ＵＥが、示されたレイテンシがどのビーム切り替えに適用されるべきかに関する追加のインジケーションを提供しない場合、基地局は、ＵＥに関連付けられた全てのビーム切り替えに示されたレイテンシを適用し得る。
【００７５】
[0082]  最適化として、示されたレイテンシは、スリープ中のターゲットモジュールとのクロスモジュールビーム切り替えにのみ適用され得る。理想的には、同じモジュール内又はアクティブモジュールにわたるビーム切り替えは、依然としてデフォルトレイテンシ（default latency）（例えば、＜２５０ｕｓ）を使用し得る。最適化を達成するために、ＵＥは、どのビーム切り替えが示されたレイテンシを使用するべきかを基地局（ＮＢ）に通知する必要があり得る。いくつかのケースでは、例えば、示されたレイテンシを使用するべき１つ又は複数の所定のビーム切り替えを基地局に示すことを含み得る追加の動作が提供され得る。更に、１つ又は複数の所定のビーム切り替えは、チャネル状態情報基準信号（ＣＳＩ）ＩＤ又はＣＳＩ基準信号（ＣＳＩ−ＲＳ）リソース構成ＩＤとしてシグナリングされ得る。
【００７６】
[0083]  いくつかのケースでは、例えば、示されたレイテンシがビーム切り替え毎に使用されるべきかどうかを基地局に示すことを含み得る追加の動作が実行され得る。更に、ビーム切り替えコマンドは、媒体アクセス制御（ＭＡＣ：media access control）制御要素（ＣＥ：control element）を介してシグナリングされ得、ＵＥは、基地局が肯定応答（ＡＣＫ：acknowledgment）を介して示されたレイテンシを使用するべきか否かを示し得る。いくつかのケースでは、ＵＥは、どのビーム切り替えが低電力状態にあるターゲットアンテナアレイモジュールに対するものであるかを事前に示し得る。どのビーム切り替えが低電力状態にあるターゲットアンテナアレイモジュールに対するものであるかのインジケーションは、インデックスを介して提供され得る。例えば、ＵＥは、ＵＥビームインデックスがモジュールインデックス（module index）に関連付けられることを基地局に通知し得るため、基地局は、どのビーム切り替えがクロスモジュール（cross module）であるかを知る。ＵＥビームインデックスは、ＵＥビームと空間的に疑似コロケート関係を有する基準信号のリソースＩＤを介してシグナリングされることができ、ここで、基準信号リソースＩＤは、ＳＲＳリソースＩＤ（ＳＲＩ）、ＳＳ−ブロックＩＤ（ＳＳＢ＿ＩＤ）、及びＣＳＩ−ＲＳリソースＩＤを含む。加えて、ＵＥはまた、明示的なモジュール電力状態フィードバック又は暗示的なシグナリングのいずれかを介して、どのターゲットモジュールが低電力状態にあるかを基地局にシグナリングし得るべきであり、例えば、ＵＥビームインデックスとモジュールインデックスとの間の関連付けをシグナリングすることは、このモジュールが低電力状態にあることを暗示する。
【００７７】
[0084]  いくつかのケースでは、ＵＥは、ビーム切り替え毎にビーム切り替えレイテンシを動的にシグナリングし得る（例えば、ソースビームとターゲットビームとの異なる組み合わせに異なるレイテンシ値を提供する)。更に、ビーム切り替えコマンドは、媒体アクセス制御（ＭＡＣ）制御要素（ＣＥ）を介してシグナリングされ得、ＵＥは、ネットワークエンティティが肯定応答（ＡＣＫ）を介して示されたレイテンシを使用するべきか否かを示し得る。
【００７８】
[0085]  いくつかのケースでは、ＵＥは、ターゲットアンテナアレイモジュール毎にビーム切り替えレイテンシをシグナリングし得る。更に、ターゲットモジュール毎の示されたレイテンシは、固定され得る。加えて、例えば、現在のモジュール電力状態に基づいてターゲットモジュール毎に示されたレイテンシを更新すること（更新されたレイテンシをシグナリングすること）を含む追加の動作が実行され得る。例えば、ＵＥは、所与のターゲットモジュールがディープ／ライトスリープ（deep/light sleep）中か否かに基づいて、そのモジュールのためのビーム切り替えレイテンシを動的に決定し得る。加えて、ＵＥは、ビーム切り替え毎にターゲットモジュールを事前に基地局に通知し得る。例えば、ＵＥは、ＵＥビームインデックスがモジュールインデックスに関連付けられていることを基地局に通知し得るため、基地局は、ビーム切り替え毎にターゲットモジュールを知り、故に、それに応じて対応するビーム切り替えレイテンシを適用する。上記で示されたように、ＵＥビームインデックスは、ＵＥビームと空間的に疑似コロケートされた関係（spatially quasi co-located relation）を有する基準信号のリソースＩＤを介してシグナリングされることができ、ここで、基準信号リソースＩＤは、ＳＲＳリソースＩＤ（ＳＲＩ）、ＳＳ−ブロックＩＤ（ＳＳＢ＿ＩＤ）、及びＣＳＩ−ＲＳリソースＩＤを含む。
【００７９】
[0086]  いくつかのケースでは、ＵＥは、ビーム切り替えのタイプ毎のビーム切り替えレイテンシをシグナリングし得る。更に、複数のタイプのビーム切り替えの各々は、対応するビーム切り替えレイテンシを有し得、ＵＥは、タイプ毎のビーム切り替えレイテンシをフィードバックし得、それは、対応するデフォルト値（default value）を上書き（overwrite）し得る。各ビーム切り替えタイプは、規格において定義され得るか、又は基地局とＵＥとの間でネゴシエートされ得、デフォルトレイテンシ値を有し得る。いくつかのケースでは、これらのタイプのビーム切り替えレイテンシは、例えば、ダウンリンク又はアップリンクにおけるＤＣＩトリガされたＰＤＳＣＨ、ＰＵＳＣＨ、非周期的ＣＳＩ−ＲＳ、又は非周期的ＳＲＳビーム切り替えに関連付けられた４つのタイプのビーム切り替えレイテンシを含み得、ここで、基地局及びＵＥは、トリガリングＤＣＩの終了からＴｘ及びＲｘビーム切り替えの終了まで、タイプ毎の対応するビーム切り替えレイテンシの後に、ダウンリンクにおいて４つのタイプの信号を送信及び受信するためのＴｘ及びＲｘビームを切り替えることになる。
【００８０】
[0087]  いくつかのケースでは、異なるタイプのビーム切り替えレイテンシは、例えば、トリガされた非周期的ＣＳＩ−ＲＳリソースセット（aperiodic-CSI-RS resource set）内のリソース（resource）にわたってＴｘビームの反復（repetition）がＯＮであるＤＣＩトリガされた非周期的ＣＳＩ−ＲＳに関連付けられたタイプのビーム切り替えレイテンシを含み得る。反復がＯＮであるとき、基地局は、セット内の全てのリソースにわたって同じＴｘビームを用いて非周期的ＣＳＩ ＲＳリソースセットを送信し、ＵＥは、異なるリソースにわたって異なるＲｘビームを使用することによってリソース毎のＴｘビーム品質を測定することになる。このように、ＵＥは、固定されたＴｘビームに関連付けられた最良のＲｘビームを見つけ出すことができ、このＵＥ Ｒｘビーム精製プロシージャは、一般にＰ−３プロシージャと呼ばれる。関連するビーム切り替えレイテンシは、トリガリングＤＣＩの終了から非周期的ＣＳＩ−ＲＳリソースセットの送信及び受信の開始までに定義される。ＵＥは、Ｐ３プロシージャのための所望されるビーム切り替えレイテンシを基地局にシグナリング又は更新することができ、それは、任意の既存のデフォルトビーム切り替えレイテンシ（default beam switch latency）を上書きすることになる。
【００８１】
[0088]  いくつかのケースでは、これらのタイプのビーム切り替えレイテンシは、例えば、トリガされた非周期的ＣＳＩ−ＲＳリソースセット内のリソースにわたってＴｘビームの反復がＯＦＦであるＤＣＩトリガされた非周期的ＣＳＩ−ＲＳに関連付けられたタイプのビーム切り替えレイテンシを含み得る。反復がＯＦＦであるとき、基地局は、セット内の全てのリソースにわたって異なるＴｘビームを用いて非周期的ＣＳＩ−ＲＳリソースセットを送信し、ＵＥは、異なるリソースにわたって同じＲｘビームを使用することによってリソース毎のＴｘビーム品質を測定することになる。このように、ＵＥは、固定Ｒｘビームに関連付けられた最良のＴｘビームを見つけ出すことができ、この基地局Ｔｘビーム精製プロシージャ（base station Tx beam refinement procedure）は、一般にＰ−２プロシージャと呼ばれる。関連するビーム切り替えレイテンシは、トリガリングＤＣＩの終了から非周期的ＣＳＩ−ＲＳリソースセットの送信及び受信の開始までに定義される。ＵＥは、Ｐ−２プロシージャのための所望のビーム切り替えレイテンシを基地局にシグナリング又は更新することができ、それは、任意の既存のデフォルトビーム切り替えレイテンシを上書きすることになる。
【００８２】
[0089]  いくつかのケースでは、これらのタイプのビーム切り替えレイテンシは、例えば、ダウンリンクにおけるＭＡＣ−ＣＥトリガされたＰＤＣＣＨ、ＰＵＣＣＨ、半周期的（semi-periodic）ＣＳＩ−ＲＳ、又は半周期的ＳＲＳビーム切り替えに関連付けられた４つのタイプのビーム切り替えレイテンシを含み得、ここで、基地局及びＵＥは、トリガリングＭＡＣ−ＣＥの終了からＴｘ及びＲｘビーム切り替えの終了まで、タイプ毎の対応するビーム切り替えレイテンシの後に、ダウンリンク又はアップリンクにおいて４つのタイプの信号を送信及び受信するためのＴｘ及びＲｘビームを切り替えることになる。
【００８３】
[0090]  全ての前述されたビーム切り替えレイテンシは、サブキャリア間隔（ＳＣＳ：sub-carrier spacing）依存である可能性があり、即ち、ＵＥは、ＳＣＳ毎にビーム切り替えレイテンシをシグナリングすることができ、例えば、ＳＣＳ＝６０ｋＨｚの場合には１４個のシンボル、ＳＣＳ＝１２０ｋＨｚの場合には２８個のシンボル、ＳＣＳ＝２４０ｋＨｚの場合には５６個のシンボルである。（例えば、同じくＳＣＳに依存し得る）他の可能な値は、４８、２２４、又は３３６個のシンボルを含む。上述されたように、いくつかのケースでは、ＵＥは、ある特定のレイテンシがパネル間ビーム切り替えに関連付けられることを明示的に示さないことがある。むしろ、ＮＢは、より大きいレイテンシ値がパネル間ビーム切り替えのためのものであり、より小さいレイテンシ値がイントラビーム切り替え（intra-beam switch）に関連付けられると推論し得る。
【００８４】
[0091]  １つ又は複数のケースでは、能力の一部として、ＵＥは、ターゲットモジュールがスリープモードにあるケースに対処するのに役立てるために、ビーム切り替えレイテンシをフィードバックし得る。１つ又は複数のケースでは、１つのオプションは、ＵＥが全てのソース／ターゲットモジュールペアにわたって最大ビーム切り替えレイテンシのみをフィードバックすることを含み得る。いくつかのケースでは、示されたレイテンシは、ＮＢが少なくとも全てのクロスモジュールビーム切り替えについてこのレイテンシを常に仮定し得るように固定される。いくつかのケースでは、示されたレイテンシは、モジュールの現在のスリープ状態に基づいて、ＵＥによって動的に更新され得る。ＵＥは、どのモジュールがスリープ及び／又はディープ／ライトスリープモード又は状態にあるかに基づいて、最大レイテンシを動的に決定し得る。ＮＢは、少なくとも全てのクロスモジュールビーム切り替えについて、この更新されたレイテンシを仮定し得る。示されたレイテンシがどのビーム切り替えに適用されるべきかに関する追加のインジケーションがない場合、ＮＢは、全てのビーム切り替えに示されたレイテンシを適用し得る。
【００８５】
[0092]  いくつかのケースでは、最適化として、示されたレイテンシは、スリープ中のターゲットモジュールとのクロスモジュールビーム切り替えにのみ適用され得る。いくつかのケースでは、同じモジュール内又はアクティブモジュールにわたるビーム切り替えは、例えば、２５０ｕｓ未満であり得るデフォルトレイテンシを依然として使用することができる。
【００８６】
[0093]  １つ又は複数のケースでは、どのビーム切り替えが示されたレイテンシを使用するべきかをＮＢに通知するために、異なるオプションが提供され得る。いくつかのケースでは、ＵＥは、示されたレイテンシを使用するべき所定のビーム切り替えに通知し得る。（例えば、Ｐ２／Ｐ３ビーム管理（ＢＭ：beam management）プロシージャのために）より長いビーム切り替えが所望される場合、ＵＥは、対応するＣＳＩ−ｍｅａｓＩｄ又はＣＳＩ−ＲＳ−ｒｅｓｏｕｒｃｅＣｏｎｆｉｇＩｄを示し得、ＮＢはその後、対応するＤＣＩとＡＰ−ＣＳＩ−ＲＳとの間で示されたレイテンシを適用し得る。いくつかのケースでは、ＵＥは、ビーム切り替え毎に、示されたレイテンシを使用するか否かをシグナリングし得る。例えば、ＰＤＣＣＨ及びＰＵＣＣＨに関してＭＡＣ−ＣＥにおいてビーム切り替えコマンドがシグナリングされる場合、ＵＥは、ＡＣＫにおいて、示されたレイテンシを使用するべきか否かを示し得る。いくつかのケースでは、ＵＥは、どのビーム切り替えがスリープ中のターゲットモジュールとクロスモジュール（cross module）であるかを事前に示し得る。例えば、ＵＥは、ＵＥビームを示すためのＳＲＩ／ＳＳＢ＿ＩＤ／ＣＳＩ−ＲＳ＿ＩＤがモジュールインデックスに関連付けられていることをＮＢに通知し得るため、ＮＢは、どの切り替えがクロスモジュールであるかを知り得、そのような関連付けがシグナリングされる場合、ターゲットモジュールは、スリープ中であるべきである。
【００８７】
[0094]  いくつかのケースでは、単一のレイテンシをシグナリングする代わりに、ＵＥは、ターゲットモジュール毎にビーム切り替えレイテンシを示し得る。いくつかのケースでは、ターゲットモジュール毎の示されたレイテンシは固定され得る。ＮＢは従って常に、所与のターゲットモジュールについてこのレイテンシを仮定し得る。いくつかのケースでは、ターゲットモジュール毎の示されたレイテンシは、現在のモジュールスリープ状態に基づいて、ＵＥによって動的に更新され得る。このことから、ＵＥは、そのスリープの有無及びディープ／ライトスリープに基づいて、このターゲットモジュールのためのビーム切り替えレイテンシを動的に決定し得る。いくつかのケースでは、ＵＥは、事前にビーム切り替え毎にターゲットモジュールをＮＢに通知する必要があり得る。
【００８８】
[0095]  １つ又は複数のケースでは、単一のレイテンシをシグナリングする代わりに、様々なアプリケーションのための複数のタイプのビーム切り替えレイテンシが定義され得る。各ビーム切り替えタイプは従って、構成可能であり得、デフォルトレイテンシ値を有し得る。ＵＥはその後、タイプ毎のビーム切り替えレイテンシをフィードバックし得、それは、存在する場合には、デフォルト値を上書きすることになる。いくつかのケースでは、これらのタイプのビーム切り替えレイテンシは、例えば、ＤＣＩトリガされたＰＤＳＣＨ、ＰＵＳＣＨ、ＡＰ−ＣＳＩ−ＲＳ、又はＡＰ−ＳＲＳビーム切り替えを含み得る。特に、ＤＣＩトリガされたＡＰ−ＣＳＩ−ＲＳビーム切り替えは、次の２つのケースに更に分割され得る：トリガされたＡＰ−ＣＳＩ−ＲＳリソースセット中のリソースは、反復（Ｐ３ ＢＭの場合には）ＯＮ又は（Ｐ１／Ｐ２ ＢＭの場合には）ＯＦＦを有し、それは、構成された異なるビーム切り替えレイテンシを有することができる。別のタイプのビーム切り替えレイテンシは、ＭＡＣ−ＣＥトリガされたＰＤＣＣＨ、ＰＵＣＣＨ、ＳＰ−ＣＳＩ−ＲＳ、又はＳＰ−ＳＲＳビーム切り替えを含み得る。
【００８９】
[0096]  １つ又は複数のケースでは、全ての前述されたビーム切り替えレイテンシは、サブキャリア間隔（ＳＣＳ）依存である可能性がある。ＵＥは、ＳＣＳ毎にビーム切り替えレイテンシをシグナリングすることができ、例えば、ＳＣＳ＝６０ｋＨｚの場合には１４個のシンボル、ＳＣＳ＝１２０ｋＨｚの場合には２８個のシンボル、ＳＣＳ＝２４０ｋＨｚの場合には５６個のシンボルである。
【００９０】
[0097]  本明細書で開示された方法は、説明された方法を達成するための１つ又は複数のステップ又はアクションを備える。方法のステップ及び／又はアクションは、特許請求の範囲から逸脱することなしに互いに置き換えられ得る。言い換えれば、ステップ又はアクションの特定の順序が指定されない限り、特定のステップ及び／又はアクションの順序及び／又は使用は、特許請求の範囲から逸脱することなしに修正され得る。
【００９１】
[0098]  本明細書で使用される場合、項目のリスト「のうちの少なくとも１つ（at least one of）」を指すフレーズは、単一のメンバを含む、それらの項目の任意の組み合わせを指す。例として、「ａ、ｂ、又はｃのうちの少なくとも１つ」は、ａ、ｂ、ｃ、ａ−ｂ、ａ−ｃ、ｂ−ｃ、及びａ−ｂ−ｃ、並びに複数の同じ要素を有する任意の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、及びｃ−ｃ−ｃ、又はａ、ｂ、及びｃの任意の他の順序）をカバーすることを意図される。特許請求の範囲を含め、本明細書で使用される場合、「及び／又は（and/or）」という用語は、２つ以上の項目のリスト中で使用されるとき、リストされた項目のうちのいずれか１つが単独で用いられることができるか、又はリストされた項目のうちの２つ以上の任意の組み合わせが用いられることができることを意味する。例えば、ある構成が、コンポーネントＡ、Ｂ、及び／又はＣを包含すると説明される場合、その構成は、Ａだけ、Ｂだけ、Ｃだけ、ＡとＢの組み合わせ、ＡとＣの組み合わせ、ＢとＣの組み合わせ、又はＡとＢとＣの組み合わせを包含することができる。
【００９２】
[0099]  本明細書で使用される場合、「決定すること（determining）」という用語は、幅広い多様なアクションを包含する。例えば、「決定すること」は、算出すること、計算すること、処理すること、導出すること、調査すること、ルックアップすること（例えば、表、データベース又は別のデータ構造中をルックアップすること）、確定すること、及び同様のものを含み得る。また、「決定すること」は、受信すること（例えば、情報を受信すること）、アクセスすること（例えば、メモリ中のデータにアクセスすること）、及び同様のものを含み得る。また、「決定すること」は、解決すること、選択すること、選ぶこと、確立すること、及び同様のものを含み得る。
【００９３】
[0100]  先の説明は、いかなる当業者であっても、本明細書で説明された様々な態様を実施することを可能にするために提供される。これらの態様への様々な修正は、当業者にとって容易に明らかとなり、本明細書で定義された包括的な原理は、他の態様に適用され得る。このことから、特許請求の範囲は、本明細書で示された態様に限定されることを意図されないが、特許請求の範囲の文言と一致する全範囲を付与されるべきであり、ここにおいて、単数形での要素への言及は、そうであると具体的に記載されない限り、「１つ及び１つのみ」を意味することを意図されず、むしろ「１つ又は複数」を意味する。例えば、本願及び添付された特許請求の範囲中で使用される「ａ」及び「ａｎ」といった冠詞は一般に、別途規定されていない、又は単数形を対象とすることがコンテキストから明らかでない限り、「１つ又は複数」を意味するように解釈されるべきである。別途具体的に記載されない限り、「いくつかの／いくらかの／何らかの（some）」という用語は、１つ又は複数を指す。その上、「又は／若しくは（or）」という用語は、排他的な「又は／若しくは」というよりはむしろ、包括的な「又は／若しくは」を意味することを意図される。即ち、別途規定されていない、又はコンテキストから明らかでない限り、例えば、「ＸはＡ又はＢを用いる」というフレーズは、自然な包括的置換のうちの任意のものを意味することを意図される。即ち、例えば、「ＸはＡ又はＢを用いる」というフレーズは次の事例にうちのどれによっても満たされる：XはAを用いる、XはBを用いる、又はXはA及びBの両方を使用する。当業者に知られているか、又は後に知られることになる、この開示全体を通じて説明された様々な態様の要素に対する全ての構造的及び機能的な同等物は、参照によって本明細書に明確に組み込まれ、特許請求の範囲によって包含されることを意図される。その上、本明細書で開示されたものはいずれも、そのような開示が特許請求の範囲に明示的に記載されているかどうかにかかわらず、公に献呈されることを意図されない。いずれの請求項の要素も、その要素が「〜のための手段（means for）」というフレーズを使用して明確に記載されていない限り、又は、方法の請求項のケースでは、その要素が「〜のためのステップ（step for）」というフレーズを使用して記載されていない限り、米国特許法第１１２条第６段落の規定の下に解釈されるべきではない。
【００９４】
[0101]  上述された方法の様々な動作は、対応する機能を実行することが可能な任意の適した手段によって実行され得る。手段は、回路、特定用途向け集積回路（ＡＳＩＣ）、又はプロセッサを含むがそれらに限定されない、様々なハードウェア及び／又はソフトウェアコンポーネント（１つ以上）及び／又はモジュール（１つ以上）を含み得る。一般に、図に例示される動作が存在する場合、それらの動作は、対応する対照物のミーンズプラスファンクションコンポーネントを有し得る。例えば、図９及び１０に示された様々な動作は、図４に示された様々なプロセッサによって実行され得る。例えば、図９の動作９００は、図４に示されたＵＥ１２０のプロセッサのうちの１つ又は複数によって実行され得、動作１０００は、図４の基地局１１０の１つ又は複数のプロセッサによって実行され得る。
【００９５】
[0102]  例えば、送信するための手段及び／又は受信するための手段は、基地局１１０の送信プロセッサ４２０、ＴＸ ＭＩＭＯプロセッサ４３０、受信プロセッサ４３８、若しくはアンテナ（１つ以上）４３４、及び／又はユーザ機器１２０の送信プロセッサ４６４、ＴＸ ＭＩＭＯプロセッサ４６６、受信プロセッサ４５８、若しくはアンテナ（１つ以上）４５２のうちの１つ又は複数を備え得る。加えて、決定するための手段、実行するための手段、レポートするための手段、置き換えるための手段、利用するための手段、及び／又は更新するための手段は、基地局１１０のコントローラ／プロセッサ４４０及び／又はユーザ機器１２０のコントローラ／プロセッサ４８０などの１つ又は複数のプロセッサを備え得る。
【００９６】
[0103]  本開示に関連して説明された様々な例示的な論理ブロック、モジュール及び回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）若しくは他のプログラマブルロジックデバイス（ＰＬＤ）、ディスクリートゲート若しくはトランジスタロジック、ディスクリートハードウェアコンポーネント、又は本明細書で説明された機能を実行するように設計されたそれらの任意の組み合わせを用いてインプリメント又は実行され得る。汎用プロセッサは、マイクロプロセッサであり得るが、代替では、プロセッサは、任意の市販のプロセッサ、コントローラ、マイクロコントローラ、又はステートマシンであり得る。プロセッサはまた、コンピューティングデバイスの組み合わせ、例えば、ＤＳＰとマイクロプロセッサとの組み合わせ、複数のマイクロプロセッサ、ＤＳＰコアと連携した１つ又は複数のマイクロプロセッサ、又は任意の他のそのような構成としてインプリメントされ得る。
【００９７】
[0104]  ハードウェアにおいてインプリメントされる場合、実例的なハードウェア構成は、ワイヤレスノード中の処理システムを備え得る。処理システムは、バスアーキテクチャを用いてインプリメントされ得る。バスは、処理システムの特定のアプリケーション及び全体的な設計制約に応じて、任意の数の相互接続バス及びブリッジを含み得る。バスは、プロセッサ、機械可読媒体、及びバスインターフェースを含む様々な回路を共にリンクさせ得る。バスインターフェースは、中でもとりわけ、バスを介して処理システムにネットワークアダプタを接続するために使用され得る。ネットワークアダプタは、ＰＨＹレイヤの信号処理機能をインプリメントするために使用され得る。ユーザ端末１２０のケースでは（図１を参照）、ユーザインターフェース（例えば、キーパッド、ディスプレイ、マウス、ジョイスティック、等）もまた、バスに接続され得る。バスもまた、タイミングソース、周辺機器、電圧レギュレータ、電力管理回路、及び同様のものなどの様々な他の回路をリンクし得るが、それらは当技術分野においてよく知られており、従って、これ以上説明されない。プロセッサは、１つ又は複数の汎用及び／又は専用プロセッサを用いてインプリメントされ得る。例は、マイクロプロセッサ、マイクロコントローラ、ＤＳＰプロセッサ、及びソフトウェアを実行することができる他の回路を含む。当業者は、特定のアプリケーション及びシステム全体に課せられた全体的な設計制約に応じて、処理システムについての説明された機能をどのようにインプリメントするのが最良であるかを認識するであろう。
【００９８】
[0105]  ソフトウェアにおいてインプリメントされる場合、それら機能は、１つ又は複数の命令又はコードとして、コンピュータ可読媒体上に記憶され得るか、又はコンピュータ可読媒体を通して送信され得る。ソフトウェアは、ソフトウェア、ファームウェア、ミドルウェア、マイクロコード、ハードウェア記述言語、又はその他の名称で呼ばれるかにかかわらず、命令、データ、又はそれらの任意の組み合わせを意味するように広く解釈されるべきである。コンピュータ可読媒体は、ある場所から別の場所へのコンピュータプログラムの転送を容易にする任意の媒体を含む通信媒体とコンピュータ記憶媒体との両方を含む。プロセッサは、バスの管理と、機械可読記憶媒体上に記憶されたソフトウェアモジュールの実行を含む汎用処理とを担い得る。コンピュータ可読記憶媒体は、プロセッサが記憶媒体から情報を読み取り、記憶媒体に情報を書き込むことができるように、プロセッサに結合され得る。代替では、記憶媒体は、プロセッサと一体化され得る。例として、機械可読媒体は、伝送線路、データによって変調された搬送波、及び／又はワイヤレスノードとは別個の、その上に命令を記憶したコンピュータ可読記憶媒体を含み得、それらの全ては、バスインターフェースを通じてプロセッサによってアクセスされ得る。代替として、又は加えて、機械可読媒体、又はその任意の一部分は、キャッシュ及び／又は汎用レジスタファイルでのケースでそうであり得るように、プロセッサに統合され得る。機械可読記憶媒体の例は、例として、ＲＡＭ（ランダムアクセスメモリ）、フラッシュメモリ、相変化メモリ、ＲＯＭ（読取専用メモリ）、ＰＲＯＭ（プログラマブル読取専用メモリ）、ＥＰＲＯＭ（消去可能プログラマブル読取専用メモリ）、ＥＥＰＲＯＭ（登録商標）（電気的消去可能プログラマブル読取専用メモリ）、レジスタ、磁気ディスク、光ディスク、ハードドライブ、若しくは任意の他の適した記憶媒体、又はそれらの任意の組み合わせを含み得る。機械可読媒体は、コンピュータプログラム製品中で具現化され得る。
【００９９】
[0106]  ソフトウェアモジュールは、単一の命令、又は多くの命令を備え得、いくつかの異なるコードセグメントにわたって、異なるプログラム間において、及び複数の記憶媒体にわたって、分散され得る。コンピュータ可読媒体は、いくつかのソフトウェアモジュールを備え得る。ソフトウェアモジュールは、プロセッサなどの装置によって実行されると、処理システムに様々な機能を実行させる命令を含む。ソフトウェアモジュールは、送信モジュール及び受信モジュールを含み得る。各ソフトウェアモジュールは、単一の記憶デバイス中に存在し得るか、又は複数の記憶デバイスにわたって分散され得る。例として、ソフトウェアモジュールは、トリガリングイベントが生じたときに、ハードドライブからＲＡＭにロードされ得る。ソフトウェアモジュールの実行中、プロセッサは、アクセス速度を増大させるために、命令のうちのいくつかをキャッシュにロードし得る。１つ又は複数のキャッシュラインがその後、プロセッサによる実行のために汎用レジスタファイルにロードされ得る。以下でソフトウェアモジュールの機能に言及するとき、そのような機能は、そのソフトウェアモジュールからの命令を実行するときに、プロセッサによってインプリメントされることが理解されるであろう。
【０１００】
[0107]  また、いずれの接続も、厳密にはコンピュータ可読媒体と称される。例えば、ソフトウェアが、同軸ケーブル、光ファイバケーブル、ツイストペア、デジタル加入者回線（ＤＳＬ）、又は赤外線（ＩＲ）、無線、及びマイクロ波などのワイヤレス技術を使用して、ウェブサイト、サーバ、又は他のリモートソースから送信される場合、同軸ケーブル、光ファイバケーブル、ツイストペア、ＤＳＬ、又は赤外線、無線、及びマイクロ波などのワイヤレス技術は、媒体の定義中に含まれる。ディスク（disk）及びディスク（disc）は、本明細書で使用される場合、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、及びＢｌｕ−ｒａｙ（登録商標）ディスク（disc）を含み、ここで、ディスク（disk）は通常、磁気的にデータを再生し、ディスク（disc）は、レーザーを用いて光学的にデータを再生する。このことから、いくつかの態様では、コンピュータ可読媒体は、非一時的コンピュータ可読媒体（例えば、有形媒体）を備え得る。加えて、他の態様では、コンピュータ可読媒体は、一時的コンピュータ可読媒体（例えば、信号）を備え得る。上記の組み合わせもまた、コンピュータ可読媒体の範囲内に含まれるべきである。
【０１０１】
[0108]  このことから、ある特定の態様は、本明細書で提示された動作を実行するためのコンピュータプログラム製品を備え得る。例えば、そのようなコンピュータプログラム製品は、その上に命令を記憶（及び／又は符号化）したコンピュータ可読媒体を備え得、それら命令は、本明細書で説明された動作を実行するために、１つ又は複数のプロセッサによって実行可能である。例えば、本明細書で説明され、且つ添付された図面に例示された動作を実行するための命令。
【０１０２】
[0109]  更に、本明細書で説明された方法及び技法を実行するためのモジュール及び／又は他の適切な手段は、適宜、ユーザ端末及び／又は基地局によってダウンロード及び／又はそうでない場合は取得されることができることが認識されるべきである。例えば、そのようなデバイスは、本明細書で説明された方法を実行するための手段の転送を容易にするためにサーバに結合されることができる。代替として、本明細書で説明された様々な方法は、記憶手段（例えば、ＲＡＭ、ＲＯＭ、コンパクトディスク（ＣＤ）又はフロッピーディスクなどの物理記憶媒体、等）を介して提供されることができ、それにより、ユーザ端末及び／又は基地局は、デバイスに記憶手段を結合又は提供する際に様々な方法を取得することができる。その上、本明細書で説明された方法及び技法をデバイスに提供するための任意の他の適した技法が利用されることができる。
【０１０３】
[0110]  特許請求の範囲は、上記に例示されたまさにその構成及びコンポーネントに限定されないことが理解されるべきである。様々な修正、変更、及び変形が、特許請求の範囲から逸脱することなしに、上述された方法及び装置の配置、動作、及び詳細においてなされ得る。
【図１】
2021514154.tif 000003
【図２】
2021514154.tif 000004
【図３】
2021514154.tif 000005
【図４】
2021514154.tif 000006
【図５】
2021514154.tif 000007
【図６】
2021514154.tif 000008
【図７】
2021514154.tif 000009
【図８】
2021514154.tif 000010
【図９】
2021514154.tif 000011
【図１０】
2021514154.tif 000012
【国際調査報告】
2021514154.tif 000013
2021514154.tif 000014
2021514154.tif 000015